(57)【特許請求の範囲】
【請求項１】
既設建造物の躯体の所定の据付箇所に基礎構造物を据え付ける基礎構造物据付方法において、
前記基礎構造物据付方法では、中空の土台管と底部枠材と幅止めボルトとの各基礎構成部品が利用され、前記土台管が、互いに対向して上下方向へ延びる第１および第３側壁と、前記第１および第３側壁に直交しつつ互いに対向して上下方向へ延びる第２および第４側壁と、前記第１〜第４側壁の頂部から径方向外方へ延びた後に上方へ延びる頂部分と、前記第１〜第４側壁の底部から径方向内方へ延びる底部分と、前記底部分に形成されたボルト孔に設置された調整ボルトと、前記第１〜第４側壁の内壁面に固定された長ナットとを有し、
前記基礎構造物据付方法が、前記土台管を前記据付箇所に載置しつつ、前記躯体に形成されたボルト孔に前記調整ボルトを螺着して該土台管を該据付箇所に固定する土台管固定工程と、前記調整ボルトを利用して前記躯体に対する前記土台管の高さおよび傾きを調整する高さ・傾き調整工程と、前記第１および第３側壁に固定された長ナットに前記幅止めボルトを螺着して該幅止めボルトによって該第１および第３側壁を連結するとともに、前記第２および第４側壁に固定された長ナットに前記幅止めボルトを螺着して該幅止めボルトによって該第２および第４側壁を連結する幅止めボルト設置工程と、前記土台管の底部に前記底部枠材を固定する底部枠材固定工程と、前記土台管および前記底部枠材の外周面全域に新設防水材を設置する新設防水材設置工程と、前記土台管および前記底部枠材の内側スペースにセメント硬化物を打設するセメント硬化物打設工程とを有することを特徴とする基礎構造物据付方法。
【請求項２】
前記基礎構造物据付方法が、前記セメント硬化物打設工程の前に、前記土台管の頂部分から上方へ延びる螺子上部と該頂部分から下方へ延びる螺子下部とを有する支持ボルトを該頂部分に設置する支持ボルト設置工程を含み、前記基礎構造物据付方法では、前記セメント硬化物打設工程によって前記内側スペースにセメント硬化物を打設すると、前記支持ボルトの螺子上部がセメント硬化物から上方に露出し、前記支持ボルトの螺子下部がセメント硬化物に埋没する請求項１に記載の基礎構造物据付方法。
【請求項３】
前記支持ボルト設置工程では、前記土台管の頂部分の上に設置されるスペーサと、前記スペーサの上に設置されて前記頂部分から上方へ離間し、前記支持ボルトを挿脱可能に設置するボルト位置決め部材とが利用され、前記基礎構造物据付方法が、前記セメント硬化物を養生した後に前記頂部分から前記ボルト位置決め部材と前記スペーサとを取り外すボルト位置決め部材・スペーサ取り外し工程を含む請求項２に記載の基礎構造物据付方法。
【請求項４】
既設建造物の躯体の所定の据付箇所に基礎構造物を据え付ける基礎構造物据付方法において、
前記基礎構造物据付方法では、中空の土台管と底部枠材と頂部枠材と幅止めボルトとの各基礎構成部品が利用され、前記土台管が、互いに対向して上下方向へ延びる第１および第３側壁と、前記第１および第３側壁に直交しつつ互いに対向して上下方向へ延びる第２および第４側壁と、前記第１〜第４側壁の頂部から径方向外方へ延びる頂部分と、前記第１〜第４側壁の底部から径方向内方へ延びる底部分と、前記底部分に形成されたボルト孔に設置された調整ボルトと、前記第１〜第４側壁の内壁面に固定された長ナットとを有し、
前記基礎構造物据付方法が、前記土台管を前記据付箇所に載置しつつ、前記躯体に形成されたボルト孔に前記調整ボルトを螺着して該土台管を該据付箇所に固定する土台管固定工程と、前記調整ボルトを利用して前記躯体に対する前記土台管の高さおよび傾きを調整する高さ・傾き調整工程と、前記第１および第３側壁に固定された長ナットに前記幅止めボルトを螺着して該幅止めボルトによって該第１および第３側壁を連結するとともに、前記第２および第４側壁に固定された長ナットに前記幅止めボルトを螺着して該幅止めボルトによって該第２および第４側壁を連結する幅止めボルト設置工程と、前記土台管の底部に前記底部枠材を固定する底部枠材固定工程と、前記土台管の頂部分に前記頂部枠材を着脱可能に設置する頂部枠材設置工程と、前記土台管および前記底部枠材の外周面全域に新設防水材を設置する新設防水材設置工程と、前記土台管およびそれら枠材の内側スペースにセメント硬化物を打設するセメント硬化物打設工程と、前記セメント硬化物を養生した後に前記土台管の頂部分から前記頂部枠材を取り外す頂部枠材取り外し工程とを有することを特徴とする基礎構造物据付方法。
【請求項５】
前記基礎構造物据付方法が、前記セメント硬化物打設工程の前に、前記頂部枠材から上方へ延びる螺子上部と該頂部枠材から下方へ延びる螺子下部とを有する支持ボルトを該頂部枠材に設置する支持ボルト設置工程を含み、前記基礎構造物据付方法では、前記セメント硬化物打設工程によって前記内側スペースにセメント硬化物を打設すると、前記支持ボルトの螺子上部がセメント硬化物から上方に露出し、前記支持ボルトの螺子下部がセメント硬化物に埋没する請求項４に記載の基礎構造物据付方法。
【請求項６】
前記支持ボルト設置工程では、前記頂部枠材の上に設置されるスペーサと、前記スペーサの上に設置されて該頂部枠材から上方へ離間し、前記支持ボルトを挿脱可能に設置するボルト位置決め部材とが利用され、前記基礎構造物据付方法が、前記セメント硬化物を養生した後に前記頂部枠材から前記ボルト位置決め部材と前記スペーサとを取り外すボルト位置決め部材・スペーサ取り外し工程を含む請求項５に記載の基礎構造物据付方法。
【請求項７】
前記頂部分が、前記第１側壁の頂部から径方向外方へ延びる第１頂部分と、前記第２側壁の頂部から径方向外方へ延びる第２頂部分と、前記第３側壁の頂部から径方向外方へ延びる第３頂部分と、前記第４側壁の頂部から径方向外方へ延びる第４頂部分とから形成され、前記頂部枠材が、前記第１側壁の頂部から径方向外方へ延びた後に上方へ延びる第１頂部枠材と、前記第２側壁の頂部から径方向外方へ延びた後に上方へ延びる第２頂部枠材と、前記第３側壁の頂部から径方向外方へ延びた後に上方へ延びる第３頂部枠材と、前記第４側壁の頂部から径方向外方へ延びた後に上方へ延びる第４頂部枠材とから形成され、前記頂部枠材設置工程では、前記第１頂部枠材を前記第１頂部分に着脱可能に設置し、前記第２頂部枠材を前記第２頂部分に着脱可能に設置し、前記第３頂部枠材を前記第３頂部分に着脱可能に設置するとともに、前記第４頂部枠材を前記第４頂部分に着脱可能に設置する請求項４ないし請求項６いずれかに記載の基礎構造物据付方法。
【請求項８】
前記基礎構造物据付方法が、前記幅止めボルト設置工程の後であって前記セメント硬化物打設工程の前に、前記幅止めボルトを利用して第１および第３側壁の離間寸法を微調整するとともに第２および第４側壁の離間寸法を微調整する離間寸法第１調整工程を含む請求項１ないし請求項７いずれかに記載の基礎構造物据付方法。
【請求項９】
前記基礎構造物据付方法が、前記セメント硬化物打設工程におけるセメント硬化物の打設過程において、前記幅止めボルトを利用して第１および第３側壁の離間寸法を微調整するとともに第２および第４側壁の離間寸法を微調整する離間寸法第２調整工程を含む請求項１ないし請求項８いずれかに記載の基礎構造物据付方法。
【請求項１０】
前記基礎構造物据付方法では、前記内側スペースに打設されたセメント硬化物の側圧による前記第１および第３側壁の変形と前記第２および第４側壁の変形とが前記幅止めボルトによって防止される請求項１ないし請求項９いずれかに記載の基礎構造物据付方法。
【請求項１１】
前記新設防水材設置工程が、前記セメント硬化物打設工程の前、または、前記セメント硬化物打設工程の後に実施され、前記基礎構造物据付方法では、前記内側スペースに打設された前記セメント硬化物の養生期間を待つことなく、前記新設防水材の設置作業が完了するとともに前記基礎構造物の据付作業が完了する請求項１ないし請求項１０いずれかに記載の基礎構造物据付方法。
【請求項１２】
前記新設防水材設置工程では、前記新設防水材を前記底部枠材から径方向に延長し、前記底部枠材の周囲に位置する前記躯体を前記新設防水材によって被覆する請求項１ないし請求項１１いずれかに記載の基礎構造物据付方法。
【請求項１３】
前記長ナットが、前記土台管の中央部における第１および第３側壁の内壁面に固定された第１長ナットと、前記土台管の中央部における第２および第４側壁の内壁面に固定された第２長ナットとから形成され、前記幅止めボルトが、それら第１長ナットに螺着される第１幅止めボルトと、それら第２長ナットに螺着される第２幅止めボルトとから形成されている請求項１ないし請求項１２いずれかに記載の基礎構造物据付方法。
【請求項１４】
前記長ナットが、前記土台管の頂部における第１および第３側壁の内壁面に固定された第３長ナットと、前記土台管の頂部における第２および第４側壁の内壁面に固定された第４長ナットとから形成され、前記幅止めボルトが、それら第３長ナットに螺着される第３幅止めボルトと、それら第４長ナットに螺着される第４幅止めボルトとから形成されている請求項１ないし請求項１３いずれかに記載の基礎構造物据付方法。
【請求項１５】
前記底部枠材が、前記第１側壁の底部から下方へ延びていて該第１側壁と前記躯体との間の間隙を塞ぐ第１底部枠材と、前記第２側壁の底部から下方へ延びていて該第２側壁と前記躯体との間の間隙を塞ぐ第２底部枠材と、前記第３側壁の底部から下方へ延びていて該第３側壁と前記躯体との間の間隙を塞ぐ第３底部枠材と、前記第４側壁の底部から下方へ延びていて該第４側壁と前記躯体との間の間隙を塞ぐ第４底部枠材とから形成され、前記底部枠材固定工程では、前記第１底部枠材を前記第１側壁の底部に固定し、前記第２底部枠材を前記第２側壁の底部に固定し、前記第３底部枠材を前記第３側壁の底部に固定するとともに、前記第４底部枠材を前記第４側壁の底部に固定する請求項１ないし請求項１４いずれかに記載の基礎構造物据付方法。
【請求項１６】
前記底部分が、前記第１側壁の底部から径方向内方へ延びる第１底部分と、前記第２側壁の底部から径方向内方へ延びる第２底部分と、前記第３側壁の底部から径方向内方へ延びる第３底部分と、前記第４側壁の底部から径方向内方へ延びる第４底部分とから形成され、前記調整ボルトが、前記第１底部分に形成されたボルト孔に設置された第１調整ボルトと、前記第２底部分に形成されたボルト孔に設置された第２調整ボルトと、前記第３底部分に形成されたボルト孔に設置された第３調整ボルトと、前記第４底部分に形成されたボルト孔に設置された第４調整ボルトとから形成されている請求項１ないし請求項１５いずれかに記載の基礎構造物据付方法。
【発明の詳細な説明】
【技術分野】
【０００１】
本発明は、既設建造物にソーラーパネルやアンテナ、貯水槽、浄化槽、空調機器等の重量のある機械器具、鉄塔や鉄骨柱、鉄骨建設物等の重量のある建築物の設置に使用する基礎構造物の据付方法に関する。
【背景技術】
【０００２】
既設建造物では、その屋上にソーラーパネルやアンテナ、貯水槽、浄化槽、空調機器等の重量のある機械器具、鉄塔や鉄骨柱、鉄骨建設物等の重量のある建築物を備え付ける場合がある。通常、そのような機械器具や建築物は、その内部への水の侵入を防ぐ目的、機械器具や建築物の背面側のメンテナンスを可能にする目的からそれらが既設建造物の躯体に直に設置されることはなく、それらが躯体に据え付けられた基礎構造物の上に備え付けられる。
【０００３】
そのような基礎構造物の一例として、特許文献１は、太陽電池パネル据え付け構造を開示している。特許文献１では、その従来技術として、太陽電池パネルの施工現場の据付箇所において型枠を組み上げ、その型枠内にコンクリートを打設・養生することにより基礎を作り、搬送されてきた太陽電池パネルおよびその架台をその基礎の上に備え付ける据付構造を紹介している。そのような従来技術の据付構造では、施工現場で型枠を組み上げなければならず、さらに、コンクリートの養生期間の経過後に型枠を解体しなければならないから、その分の手間と時間とがかかることはもちろん、型枠内に流し込んだコンクリートの養生に時間がかかり、短い工期で据付構造を作ることができない。
【０００４】
かかる従来技術の問題点を解決するために、特許文献１に開示の太陽電池パネル据付構造では、太陽電池パネルを設置した架台をコンクリート製または鉄筋コンクリート製の基礎に取り付けた据付構造物を製造工場においてあらかじめ製造し、その据付構造物をビルの屋上や地下の施工現場に搬送する。その後、屋上や地下の据付箇所に薄いセメント層を形成し、そのセメント層を接着層としてその上に基礎を載せて据付箇所と一体化する。特許文献１に開示された太陽電池パネル据え付け構造は、太陽電池パネルを備え付けるための基礎を作る際に施工現場において型枠を組み上げる必要や型枠を解体する必要がないから、その分の手間と時間とが省け、施工現場における施工作業を簡略化することができるとともに、コンクリートを養生する時間を省くことができ、その分の工期を短縮することができる。
【先行技術文献】
【特許文献】
【０００５】
【特許文献１】特開平９−０７０１８８号公報
【発明の概要】
【発明が解決しようとする課題】
【０００６】
前記特許文献１に開示の太陽電池パネル据付構造では、施工現場においてコンクリートを養生する必要はないが、製造工場においてコンクリートを養生して基礎を作らなければならず、基礎の製造にコンクリートの養生が必要であることに変わりはなく、基礎の製造に時間を要する。さらに、製造した据付構造物を工場から施工現場に搬送する必要があり、相当な重量を有する据付構造物を搬送する手間や時間、輸送コストを要するから、据付構造物を据え付ける労力やコストを低減することができない。また、工場で製造された据付構造物を屋上や地下の据付箇所に設置する場合、コンクリート層を接着層として据付箇所に固定する方法や凹部を据付箇所に形成して基礎の下端をその凹部に嵌め込む方法しか採用できず、据付構造物を据付箇所に強固に据え付けることができない。
【０００７】
本発明の目的は、基礎構造物の据付に要する労力やコストを低減することができるとともに、基礎構造物を短い工期で据え付けることができる基礎構造物据付方法を提供することにある。本発明の他の目的は、基礎構造物を既設建造物の躯体の所定の据付箇所に強固に据え付けることができ、ソーラーパネルやアンテナ、貯水槽、浄化槽、空調機器等の重量のある機械器具、鉄塔や鉄骨柱、鉄骨建設物等の重量のある建築物を支持することが可能な頑丈な基礎構造物を据え付けることができる基礎構造物据付方法を提供することにある。
【課題を解決するための手段】
【０００８】
前記課題を解決するための本発明の前提は、既設建造物の躯体の所定の据付箇所に基礎構造物を据え付ける基礎構造物据付方法である。
【０００９】
前記前提における本発明の第１の特徴として、基礎構造物据付方法では、中空の土台管と底部枠材と幅止めボルトとの各基礎構成部品が利用され、土台管が、互いに対向して上下方向へ延びる第１および第３側壁と、第１および第３側壁に直交しつつ互いに対向して上下方向へ延びる第２および第４側壁と、第１〜第４側壁の頂部から径方向外方へ延びた後に上方へ延びる頂部分と、第１〜第４側壁の底部から径方向内方へ延びる底部分と、底部分に形成されたボルト孔に設置された調整ボルトと、第１〜第４側壁の内壁面に固定された長ナットとを有し、基礎構造物据付方法が、土台管を据付箇所に載置しつつ、躯体に形成されたボルト孔に調整ボルトを螺着して土台管を据付箇所に固定する土台管固定工程と、調整ボルトを利用して躯体に対する土台管の高さおよび傾きを調整する高さ・傾き調整工程と、第１および第３側壁に固定された長ナットに幅止めボルトを螺着して幅止めボルトによって第１および第３側壁を連結するとともに、第２および第４側壁に固定された長ナットに幅止めボルトを螺着して幅止めボルトによって第２および第４側壁を連結する幅止めボルト設置工程と、土台管の底部に底部枠材を固定する底部枠材固定工程と、土台管および底部枠材の外周面全域に新設防水材を設置する新設防水材設置工程と、土台管および底部枠材の内側スペースにセメント硬化物を打設するセメント硬化物打設工程とを有することにある。
【００１０】
前記第１の特徴を有する本発明の一例としては、基礎構造物据付方法が、セメント硬化物打設工程の前に、土台管の頂部分から上方へ延びる螺子上部と頂部分から下方へ延びる螺子下部とを有する支持ボルトを頂部分に設置する支持ボルト設置工程を含み、基礎構造物据付方法では、セメント硬化物打設工程によって内側スペースにセメント硬化物を打設すると、支持ボルトの螺子上部がセメント硬化物から上方に露出し、支持ボルトの螺子下部がセメント硬化物に埋没する。
【００１１】
前記第１の特徴を有する本発明の他の一例として、支持ボルト設置工程では、土台管の頂部分の上に設置されるスペーサと、スペーサの上に設置されて頂部分から上方へ離間し、支持ボルトを挿脱可能に設置するボルト位置決め部材とが利用され、基礎構造物据付方法がセメント硬化物を養生した後に頂部分からボルト位置決め部材とスペーサとを取り外すボルト位置決め部材・スペーサ取り外し工程を含む。
【００１２】
前記前提における本発明の第２の特徴として、基礎構造物据付方法では、中空の土台管と底部枠材と頂部枠材と幅止めボルトとの各基礎構成部品が利用され、土台管が、互いに対向して上下方向へ延びる第１および第３側壁と、第１および第３側壁に直交しつつ互いに対向して上下方向へ延びる第２および第４側壁と、第１〜第４側壁の頂部から径方向外方へ延びる頂部分と、第１〜第４側壁の底部から径方向内方へ延びる底部分と、底部分に形成されたボルト孔に設置された調整ボルトと、第１〜第４側壁の内壁面に固定された長ナットとを有し、基礎構造物据付方法が、土台管を据付箇所に載置しつつ、躯体に形成されたボルト孔に調整ボルトを螺着して土台管を据付箇所に固定する土台管固定工程と、調整ボルトを利用して躯体に対する土台管の高さおよび傾きを調整する高さ・傾き調整工程と、第１および第３側壁に固定された長ナットに幅止めボルトを螺着して幅止めボルトによって第１および第３側壁を連結するとともに、第２および第４側壁に固定された長ナットに幅止めボルトを螺着して幅止めボルトによって第２および第４側壁を連結する幅止めボルト設置工程と、土台管の底部に底部枠材を固定する底部枠材固定工程と、土台管の頂部分に頂部枠材を着脱可能に設置する頂部枠材設置工程と、土台管および底部枠材の外周面全域に新設防水材を設置する新設防水材設置工程と、土台管およびそれら枠材の内側スペースにセメント硬化物を打設するセメント硬化物打設工程と、セメント硬化物を養生した後に土台管の頂部分から頂部枠材を取り外す頂部枠材取り外し工程とを有することにある。
【００１３】
前記第２の特徴を有する本発明の一例としては、基礎構造物据付方法が、セメント硬化物打設工程の前に、頂部枠材から上方へ延びる螺子上部と頂部枠材から下方へ延びる螺子下部とを有する支持ボルトを頂部枠材に設置する支持ボルト設置工程を含み、基礎構造物据付方法では、セメント硬化物打設工程によって内側スペースにセメント硬化物を打設すると、支持ボルトの螺子上部がセメント硬化物から上方に露出し、支持ボルトの螺子下部がセメント硬化物に埋没する。
【００１４】
前記第２の特徴を有する本発明の他の一例として、支持ボルト設置工程では、頂部枠材の上に設置されるスペーサと、スペーサの上に設置されて頂部枠材から上方へ離間し、支持ボルトを挿脱可能に設置するボルト位置決め部材とが利用され、基礎構造物据付方法がセメント硬化物を養生した後に頂部枠材からボルト位置決め部材とスペーサとを取り外すボルト位置決め部材・スペーサ取り外し工程を含む。
【００１５】
前記第２の特徴を有する本発明の他の一例としては、頂部分が、第１側壁の頂部から径方向外方へ延びる第１頂部分と、第２側壁の頂部から径方向外方へ延びる第２頂部分と、第３側壁の頂部から径方向外方へ延びる第３頂部分と、第４側壁の頂部から径方向外方へ延びる第４頂部分とから形成され、頂部枠材が、第１側壁の頂部から径方向外方へ延びた後に上方へ延びる第１頂部枠材と、第２側壁の頂部から径方向外方へ延びた後に上方へ延びる第２頂部枠材と、第３側壁の頂部から径方向外方へ延びた後に上方へ延びる第３頂部枠材と、第４側壁の頂部から径方向外方へ延びた後に上方へ延びる第４頂部枠材とから形成され、頂部枠材設置工程では、第１頂部枠材を第１頂部分に着脱可能に設置し、第２頂部枠材を第２頂部分に着脱可能に設置し、第３頂部枠材を第３頂部分に着脱可能に設置するとともに、第４頂部枠材を第４頂部分に着脱可能に設置する。
【００１６】
前記第１および第２の特徴を有する本発明の一例としては、基礎構造物据付方法が、幅止めボルト設置工程の後であってセメント硬化物打設工程の前に、幅止めボルトを利用して第１および第３側壁の離間寸法を微調整するとともに第２および第４側壁の離間寸法を微調整する離間寸法第１調整工程を含む。
【００１７】
前記第１および第２の特徴を有する本発明の他の一例としては、基礎構造物据付方法が、セメント硬化物打設工程におけるセメント硬化物の打設過程において、幅止めボルトを利用して第１および第３側壁の離間寸法を微調整するとともに第２および第４側壁の離間寸法を微調整する離間寸法第２調整工程を含む。
【００１８】
前記第１および第２の特徴を有する本発明の他の一例として、基礎構造物据付方法では、内側スペースに打設されたセメント硬化物の側圧による第１および第３側壁の変形と第２および第４側壁の変形とが幅止めボルトによって防止される。
【００１９】
前記第１および第２の特徴を有する本発明の他の一例としては、新設防水材設置工程が、セメント硬化物打設工程の前、または、セメント硬化物打設工程の後に実施され、基礎構造物据付方法では、内側スペースに打設されたセメント硬化物の養生期間を待つことなく、新設防水材の設置作業が完了するとともに基礎構造物の据付作業が完了する。
【００２０】
前記第１および第２の特徴を有する本発明の他の一例として、新設防水材設置工程では、新設防水材を底部枠材から径方向に延長し、底部枠材の周囲に位置する躯体を新設防水材によって被覆する。
【００２１】
前記第１および第２の特徴を有する本発明の他の一例としては、長ナットが、土台管の中央部における第１および第３側壁の内壁面に固定された第１長ナットと、土台管の中央部における第２および第４側壁の内壁面に固定された第２長ナットとから形成され、幅止めボルトが、それら第１長ナットに螺着される第１幅止めボルトと、それら第２長ナットに螺着される第２幅止めボルトとから形成されている。
【００２２】
前記第１および第２の特徴を有する本発明の他の一例としては、長ナットが、土台管の頂部における第１および第３側壁の内壁面に固定された第３長ナットと、土台管の頂部における第２および第４側壁の内壁面に固定された第４長ナットとから形成され、幅止めボルトが、それら第３長ナットに螺着される第３幅止めボルトと、それら第４長ナットに螺着される第４幅止めボルトとから形成されている。
【００２３】
前記第１および第２の特徴を有する本発明の他の一例としては、底部枠材が、第１側壁の底部から下方へ延びていて第１側壁と躯体との間の間隙を塞ぐ第１底部枠材と、第２側壁の底部から下方へ延びていて第２側壁と躯体との間の間隙を塞ぐ第２底部枠材と、第３側壁の底部から下方へ延びていて第３側壁と躯体との間の間隙を塞ぐ第３底部枠材と、第４側壁の底部から下方へ延びていて第４側壁と躯体との間の間隙を塞ぐ第４底部枠材とから形成され、底部枠材固定工程では、第１底部枠材を第１側壁の底部に固定し、第２底部枠材を第２側壁の底部に固定し、第３底部枠材を第３側壁の底部に固定するとともに、第４底部枠材を第４側壁の底部に固定する。
【００２４】
前記第１および第２の特徴を有する本発明の他の一例としては、底部分が、第１側壁の底部から径方向内方へ延びる第１底部分と、第２側壁の底部から径方向内方へ延びる第２底部分と、第３側壁の底部から径方向内方へ延びる第３底部分と、第４側壁の底部から径方向内方へ延びる第４底部分とから形成され、調整ボルトが、第１底部分に形成されたボルト孔に設置された第１調整ボルトと、第２底部分に形成されたボルト孔に設置された第２調整ボルトと、第３底部分に形成されたボルト孔に設置された第３調整ボルトと、第４底部分に形成されたボルト孔に設置された第４調整ボルトとから形成されている。
【発明の効果】
【００２５】
前記第１の特徴を有する基礎構造物据付方法によれば、中空の土台管と底部枠材と幅止めボルトとの各基礎構成部品が製造工場においてあらかじめ量産されて汎用部品化（規格化）されており、既設建造物の躯体の据付箇所においてマニュアル化された手順に従って基礎構造物がユニットとして組み立てられるから、基礎構造物を据え付ける際にその現場において型枠を組み上げる必要や型枠を解体する必要はなく、据付箇所に土台管を固定しつつ調整ボルトを利用して躯体に対する土台管の高さおよび傾きを調整し、第１〜第４側壁に幅止めボルトを設置するとともに、土台管に底部枠材を設置し、内側スペースにセメント硬化物を打設するだけで基礎構造物を据付箇所に据え付けることができ、型枠の組立や型枠の解体にかかる手間や時間、コストを省くことができる。基礎構造物据付方法は、基礎構造物の据付作業を簡略化することができるのみならず、セメント硬化物の養生期間を待つことなく新設防水材の設置作業が完了し、セメント硬化物の養生期間を待つことなく基礎構造物の据付作業が完了するから、基礎構造物の据付時間にセメント硬化物の養生期間が入らず、据付箇所に複数の基礎構造物を迅速に据え付けることができ、工期を大幅に短縮することができる。基礎構造物据付方法は、基礎構造物の工期を大幅に短縮することができ、基礎構造物の構築にかかる人件費を大幅に低減することができるから、基礎構造物の据付にかかるコストを低下させることができ、基礎構造物を廉価に構築することができる。基礎構造物据付方法は、施工現場の据付箇所において型枠を組み上げる必要はなく、マニュアル化された手順に従って基礎構造物を組み立てることができるから、型枠工の技術がない作業者でも基礎構造物を容易に構築することができる。基礎構造物据付方法は、躯体に形成されたボルト孔に調整ボルトが螺着され、調整ボルトによって土台管が躯体に固定されるとともに、セメント硬化物の養生期間が経過した後に調整ボルトがセメント硬化物と一体になり、基礎構造物にかかる荷重を調整ボルトとセメント硬化物とで分担するから、既設建造物の躯体の所定の据付箇所に基礎構造物を強固に据え付けることができ、ソーラーパネルやアンテナ、貯水槽、浄化槽、空調機器等の重量のある機械器具、鉄塔や鉄骨柱、鉄骨建設物等の重量のある建築物を確実に支持することが可能な基礎構造物を構築することができる。基礎構造物据付方法は、内側スペースに打設されたセメント硬化物の側圧が土台管の第１〜第４側壁に作用したとしても、土台管に設置された幅止めボルトがセメント硬化物の側圧による第１〜第４側壁の変形を防止するから、第１〜第４側壁が変形した形状が歪な基礎構造物が作られることはなく、据付箇所に構造計算された設計どおりの基礎構造物を構築することができる。基礎構造物据付方法は、躯体に対する土台管の高さおよび傾きを調整ボルトによって調整することができるから、据付箇所が傾斜していてとしても、据付箇所に対して土台管を水平に設置することができるとともに、複数個の基礎構造物を設置する場合にそれら基礎構造物どうしの高さ寸法を容易に調整することができ、それら基礎構造物の高さ寸法を均一に揃えることができる。
【００２６】
セメント硬化物打設工程の前に、土台管の頂部分から上方へ延びる螺子上部と頂部分から下方へ延びる螺子下部とを有する支持ボルトを頂部分に設置する支持ボルト設置工程を含み、セメント硬化物打設工程によって内側スペースにセメント硬化物を打設すると、支持ボルトの螺子上部がセメント硬化物から上方に露出し、支持ボルトの螺子下部がセメント硬化物に埋没する基礎構造物据付方法は、セメント硬化物から上方へ露出する支持ボルトにソーラーパネルやアンテナ、貯水槽、浄化槽、空調機器等の重量のある機械器具、鉄塔や鉄骨柱、鉄骨建設物等の重量のある建築物を強固に固定することができ、支持ボルトを利用することでそれらの機械器具やそれら建築物を基礎構造物に強固に備え付けることが可能な基礎構造物を構築することができる。
【００２７】
支持ボルト設置工程において、土台管の頂部分の上に設置されるスペーサと、スペーサの上に設置されて頂部分から上方へ離間し、支持ボルトを挿脱可能に設置するボルト位置決め部材とが利用され、セメント硬化物を養生した後に頂部分からボルト位置決め部材とスペーサとを取り外すボルト位置決め部材・スペーサ取り外し工程を含む基礎構造物据付方法は、スペーサを土台管の頂部分の上に設置し、支持ボルトを設置したボルト位置決め部材をスペーサの上に設置した後、内側スペースにセメント硬化物を打設し、セメント硬化物を養生した後、ボルト位置決め部材とスペーサとを取り外すことで、支持ボルトの螺子下部がセメント硬化物に固定され、支持ボルトの螺子上部がセメント硬化物から上方へ露出するから、スペーサとボルト位置決め部材とを利用することで、正確に位置決めされたセメント硬化物の固定位置に支持ボルトの螺子下部を容易に設置することができ、その支持ボルトの螺子上部をセメント硬化物から上方に露出させることができる。基礎構造物据付方法は、セメント硬化物から上方へ露出する支持ボルトにソーラーパネルやアンテナ、貯水槽、浄化槽、空調機器等の重量のある機械器具、鉄塔や鉄骨柱、鉄骨建設物等の重量のある建築物を強固に固定することができ、支持ボルトを利用することでそれらの機械器具やそれら建築物を基礎構造物に強固に備え付けることが可能な基礎構造物を構築することができる。
【００２８】
前記第１の特徴を有する基礎構造物据付方法によれば、中空の土台管と底部枠材と頂部枠材と幅止めボルトとの各基礎構成部品が製造工場においてあらかじめ量産されて汎用部品化（規格化）されており、既設建造物の躯体の据付箇所においてマニュアル化された手順に従って基礎構造物がユニットとして組み立てられるから、基礎構造物を据え付ける際にその現場において型枠を組み上げる必要や型枠を解体する必要はなく、据付箇所に土台管を固定しつつ調整ボルトを利用して躯体に対する土台管の高さおよび傾きを調整し、第１〜第４側壁に幅止めボルトを設置するとともに、土台管に底部枠材と頂部枠材とを設置し、内側スペースにセメント硬化物を打設するだけで基礎構造物を据付箇所に据え付けることができ、型枠の組立や型枠の解体にかかる手間や時間、コストを省くことができる。基礎構造物据付方法は、基礎構造物の据付作業を簡略化することができるのみならず、セメント硬化物の養生期間を待つことなく新設防水材の設置作業が完了し、セメント硬化物の養生期間を待つことなく基礎構造物の据付作業が完了するから、基礎構造物の据付時間にセメント硬化物の養生期間が入らず、据付箇所に複数の基礎構造物を迅速に据え付けることができ、工期を大幅に短縮することができる。基礎構造物据付方法は、基礎構造物の工期を大幅に短縮することができ、基礎構造物の構築にかかる人件費を大幅に低減することができるから、基礎構造物の据付にかかるコストを低下させることができ、基礎構造物を廉価に構築することができる。基礎構造物据付方法は、施工現場の据付箇所において型枠を組み上げる必要はなく、マニュアル化された手順に従って基礎構造物を組み立てることができるから、型枠工の技術がない作業者でも基礎構造物を容易に構築することができる。基礎構造物据付方法は、躯体に形成されたボルト孔に調整ボルトが螺着され、調整ボルトによって土台管が躯体に固定されるとともに、セメント硬化物の養生期間が経過した後に調整ボルトがセメント硬化物と一体になり、基礎構造物にかかる荷重を調整ボルトとセメント硬化物とで分担するから、既設建造物の躯体の所定の据付箇所に基礎構造物を強固に据え付けることができ、ソーラーパネルやアンテナ、貯水槽、浄化槽、空調機器等の重量のある機械器具、鉄塔や鉄骨柱、鉄骨建設物等の重量のある建築物を確実に支持することが可能な基礎構造物を構築することができる。基礎構造物据付方法は、内側スペースに打設されたセメント硬化物の側圧が土台管の第１〜第４側壁に作用したとしても、土台管に設置された幅止めボルトがセメント硬化物の側圧による第１〜第４側壁の変形を防止するから、第１〜第４側壁が変形した形状が歪な基礎構造物が作られることはなく、据付箇所に構造計算された設計どおりの基礎構造物を構築することができる。基礎構造物据付方法は、躯体に対する土台管の高さおよび傾きを調整ボルトによって調整することができるから、据付箇所が傾斜していてとしても、据付箇所に対して土台管を水平に設置することができるとともに、複数個の基礎構造物を設置する場合にそれら基礎構造物どうしの高さ寸法を容易に調整することができ、それら基礎構造物の高さ寸法を均一に揃えることができる。
【００２９】
セメント硬化物打設工程の前に、頂部枠材から上方へ延びる螺子上部と頂部枠材から下方へ延びる螺子下部とを有する支持ボルトを頂部枠材に設置する支持ボルト設置工程を含み、セメント硬化物打設工程によって内側スペースにセメント硬化物を打設すると、支持ボルトの螺子上部がセメント硬化物から上方に露出し、支持ボルトの螺子下部がセメント硬化物に埋没する基礎構造物据付方法は、セメント硬化物から上方へ露出する支持ボルトにソーラーパネルやアンテナ、貯水槽、浄化槽、空調機器等の重量のある機械器具、鉄塔や鉄骨柱、鉄骨建設物等の重量のある建築物を強固に固定することができ、支持ボルトを利用することでそれらの機械器具やそれら建築物を基礎構造物に強固に備え付けることが可能な基礎構造物を構築することができる。
【００３０】
支持ボルト設置工程において、頂部枠材の上に設置されるスペーサと、スペーサの上に設置されて頂部枠材から上方へ離間し、支持ボルトを挿脱可能に設置するボルト位置決め部材とが利用され、セメント硬化物を養生した後に頂部枠材からボルト位置決め部材とスペーサとを取り外すボルト位置決め部材・スペーサ取り外し工程を含む基礎構造物据付方法は、スペーサを頂部枠材の上に設置し、支持ボルトを設置したボルト位置決め部材をスペーサの上に設置した後、内側スペースにセメント硬化物を打設し、セメント硬化物を養生した後、ボルト位置決め部材とスペーサとを取り外すことで、支持ボルトの螺子下部がセメント硬化物に固定され、支持ボルトの螺子上部がセメント硬化物から上方へ露出するから、スペーサとボルト位置決め部材とを利用することで、正確に位置決めされたセメント硬化物の固定位置に支持ボルトの螺子下部を容易に設置することができ、その支持ボルトの螺子上部をセメント硬化物から上方に露出させることができる。基礎構造物据付方法は、セメント硬化物から上方へ露出する支持ボルトにソーラーパネルやアンテナ、貯水槽、浄化槽、空調機器等の重量のある機械器具、鉄塔や鉄骨柱、鉄骨建設物等の重量のある建築物を強固に固定することができ、支持ボルトを利用することでそれらの機械器具やそれら建築物を基礎構造物に強固に備え付けることが可能な基礎構造物を構築することができる。
【００３１】
頂部分が第１〜第４頂部分から形成され、頂部枠材が第１〜第４頂部枠材から形成され、頂部枠材設置工程において、第１頂部枠材を第１頂部分に着脱可能に設置し、第２頂部枠材を第２頂部分に着脱可能に設置し、第３頂部枠材を第３頂部分に着脱可能に設置するとともに、第４頂部枠材を第４頂部分に着脱可能に設置する基礎構造物据付方法は、第１〜第４頂部枠材が製造工場において製造されて汎用部品化（規格化）されており、マニュアル化された手順に従ってそれら頂部枠材を土台管の第１〜第４頂部分に設置するだけで頂部枠材が組み立てられるから、土台管の頂部に型枠を組み上げる必要やその型枠を解体する必要はなく、型枠の組立や型枠の解体にかかる手間や時間、コストを省くことができる。基礎構造物据付方法は、頂部枠材の設置作業を簡略化することができるから、据付箇所に基礎構造物を迅速に据え付けることができ、基礎構造物の工期を大幅に短縮することができる。
【００３２】
幅止めボルト設置工程の後であってセメント硬化物打設工程の前に、幅止めボルトを利用して第１および第３側壁の離間寸法を微調整するとともに第２および第４側壁の離間寸法を微調整する離間寸法第１調整工程を含む基礎構造物据付方法は、セメント硬化物打設工程の前に幅止めボルトによって第１および第３側壁の離間寸法や第２および第４側壁の離間寸法を微調整することができるから、第１および第３側壁の離間寸法や第２および第４側壁の離間寸法が設計寸法と微妙に異なっていたとしても、それら離間寸法を設計寸法に一致させることができ、設計寸法どおりの基礎構造物を構築することができる。
【００３３】
セメント硬化物打設工程におけるセメント硬化物の打設過程において、幅止めボルトを利用して第１および第３側壁の離間寸法を微調整するとともに第２および第４側壁の離間寸法を微調整する離間寸法第２調整工程を含む基礎構造物据付方法は、内側スペースにセメント硬化物を打設する過程において、第１および第３側壁や第２および第４側壁にセメント硬化物の側圧が作用し、それら側壁の離間寸法が変化したとしても、幅止めボルトによって第１および第３側壁の離間寸法を微調整することができ、幅止めボルトによって第２および第４側壁の離間寸法を微調整することができるから、それら側壁の離間寸法を設計寸法に一致させることができ、設計寸法どおりの基礎構造物を構築することができる。
【００３４】
内側スペースに打設されたセメント硬化物の側圧による第１および第３側壁の変形と第２および第４側壁の変形とが幅止めボルトによって防止される基礎構造物据付方法は、内側スペースに打設されたセメント硬化物の側圧による第１および第３側壁の変形を幅止めボルトによって阻止することができるから、内側スペースに打設されたセメント硬化物の側圧が第１〜第４側壁に作用したとしても、第１〜第４側壁が不用意に変形することはなく、第１〜第４側壁が変形した形状が歪な基礎構造物が作られることはなく、据付箇所に構造計算された設計どおりの基礎構造物を構築することができる。
【００３５】
新設防水材設置工程がセメント硬化物打設工程の前またはセメント硬化物打設工程の後に実施され、内側スペースに打設されたセメント硬化物の養生期間を待つことなく、新設防水材の設置作業が完了するとともに基礎構造物の据付作業が完了する基礎構造物据付方法は、セメント硬化物の養生期間を待つことなく新設防水材の設置作業が完了するとともに据付基礎構造物の据付作業が完了するから、基礎構造物の据付時間にセメント硬化物の養生期間が入らず、据付箇所に複数の基礎構造物を迅速に据え付けることができ、基礎構造物の工期を大幅に短縮することができ、基礎構造物の構築にかかる人件費を大幅に低減することができる。その結果、基礎構造物の据付にかかるコストを低下させることができ、基礎構造物を廉価に構築することができる。
【００３６】
新設防水材設置工程において、新設防水材を底部枠材から径方向に延長し、底部枠材の周囲に位置する躯体を新設防水材によって被覆する基礎構造物据付方法は、基礎構造物が既設建造物の屋上に据え付けられる場合でも、底部枠材の周囲に位置する躯体が新設防水材に被覆されるから、土台管や底部枠材、躯体への水の侵入を防ぐことができ、土台管や底部枠材に水が進入することによる土台管や底部枠材の腐食や強度低下を防ぐことができ、躯体に水が進入することによる躯体の劣化を防ぐことができる。
【００３７】
長ナットが土台管の中央部における第１および第３側壁の内壁面に固定された第１長ナットと土台管の中央部における第２および第４側壁の内壁面に固定された第２長ナットとから形成され、幅止めボルトがそれら第１長ナットに螺着される第１幅止めボルトとそれら第２長ナットに螺着される第２幅止めボルトとから形成されている基礎構造物据付方法は、第１長ナットに螺着された第１幅止めボルトが内側スペースに打設されたセメント硬化物の側圧による第１および第３側壁の変形を防止し、第２長ナットに螺着された第２幅止めボルトが内側スペースに打設されたセメント硬化物の側圧による第２および第４側壁の変形を防止するから、内側スペースに打設されたセメント硬化物の側圧が第１〜第４側壁に作用したとしても、第１〜第４側壁が不用意に変形することはなく、第１〜第４側壁が変形した形状が歪な基礎構造物が作られることはなく、据付箇所に構造計算された設計どおりの基礎構造物を構築することができる。基礎構造物据付方法は、セメント硬化物の養生期間が経過した後に調整ボルトと第１長ナットおよび第１幅止めボルトと第２長ナットおよび第２幅止めボルトとがセメント硬化物と一体になり、基礎構造物にかかる荷重を調整ボルトと第１長ナットおよび第１幅止めボルトと第２長ナットおよび第２幅止めボルトとセメント硬化物とで分担するから、既設建造物の躯体の所定の据付箇所に基礎構造物を強固に据え付けることができ、ソーラーパネルやアンテナ、貯水槽、浄化槽、空調機器等の重量のある機械器具、鉄塔や鉄骨柱、鉄骨建設物等の重量のある建築物を確実に支持することが可能な基礎構造物を構築することができる。基礎構造物据付方法は、第１幅止めボルトによって第１および第３側壁の離間寸法を微調整することができ、第２幅止めボルトによって第２および第４側壁の離間寸法を微調整することができるから、第１および第３側壁の離間寸法や第２および第４側壁の離間寸法が設計寸法と微妙に異なっていたとしても、それら離間寸法を設計寸法に一致させることができ、設計寸法どおりの基礎構造物を構築することができる。
【００３８】
長ナットが土台管の頂部における第１および第３側壁の内壁面に固定された第３長ナットと土台管の頂部における第２および第４側壁の内壁面に固定された第４長ナットとから形成され、幅止めボルトがそれら第３長ナットに螺着される第３幅止めボルトとそれら第４長ナットに螺着される第４幅止めボルトとから形成されている基礎構造物据付方法は、第３長ナットに螺着された第３幅止めボルトが内側スペースに打設されたセメント硬化物の側圧による第１および第３側壁の変形を防止し、第４長ナットに螺着された第４幅止めボルトが内側スペースに打設されたセメント硬化物の側圧による第２および第４側壁の変形を防止するから、内側スペースに打設されたセメント硬化物の側圧が第１〜第４側壁に作用したとしても、第１〜第４側壁が不用意に変形することはなく、第１〜第４側壁が変形した形状が歪な基礎構造物が作られることはなく、据付箇所に構造計算された設計どおりの基礎構造物を構築することができる。基礎構造物据付方法は、セメント硬化物の養生期間が経過した後に調整ボルトと第３長ナットおよび第３幅止めボルトと第４長ナットおよび第４幅止めボルトとがセメント硬化物と一体になり、基礎構造物にかかる荷重を調整ボルトと第３長ナットおよび第３幅止めボルトと第４長ナットおよび第４幅止めボルトとセメント硬化物とで分担するから、既設建造物の躯体の所定の据付箇所に基礎構造物を強固に据え付けることができ、ソーラーパネルやアンテナ、貯水槽、浄化槽、空調機器等の重量のある機械器具、鉄塔や鉄骨柱、鉄骨建設物等の重量のある建築物を確実に支持することが可能な基礎構造物を構築することができる。基礎構造物据付方法は、第３幅止めボルトによって第１および第３側壁の離間寸法を微調整することができ、第４幅止めボルトによって第２および第４側壁の離間寸法を微調整することができるから、第１および第３側壁の離間寸法や第２および第４側壁の離間寸法が設計寸法と微妙に異なっていたとしても、それら離間寸法を設計寸法に一致させることができ、設計寸法どおりの基礎構造物を構築することができる。
【００３９】
底部枠材が第１〜第４底部枠材から形成され、底部枠材固定工程において、第１底部枠材を第１側壁の底部に固定し、第２底部枠材を第２側壁の底部に固定し、第３底部枠材を第３側壁の底部に固定するとともに、第４底部枠材を第４側壁の底部に固定する基礎構造物据付方法は、第１〜第４底部枠材が製造工場において製造されて汎用部品化されており、マニュアル化された手順に従ってそれら底部枠材を土台管の第１〜第４側壁の底部に設置するだけで底部枠材が完成するから、土台管の底部に型枠を組み上げる必要やその型枠を解体する必要はなく、型枠の組立や型枠の解体にかかる手間や時間、コストを省くことができる。基礎構造物据付方法は、底部枠材の設置作業を簡略化することができるから、据付箇所に基礎構造物を迅速に据え付けることができ、基礎構造物の工期を大幅に短縮することができる。基礎構造物据付方法は、第１〜第４底部枠材が第１〜第４側壁と躯体との間の間隙を塞ぐから、土台管の底部から内側スペースへの水分の進入を防ぐことができ、水分が進入することによる躯体の劣化を防ぐことができる。
【００４０】
底部分が第１〜第４底部分から形成され、調整ボルトが第１底部分に設置された第１調整ボルトと第２底部分に設置された第２調整ボルトと第３底部分に設置された第３調整ボルトと第４底部分に設置された第４調整ボルトとから形成されている基礎構造物据付方法は、躯体に対する土台管の高さおよび傾きを第１〜第４調整ボルトによって調整することができるから、据付箇所が傾斜していてとしても、据付箇所に対して土台管を水平に設置することができるとともに、複数個の基礎構造物を設置する場合にそれら基礎構造物どうしの高さ寸法を容易に調整することができ、それら基礎構造物の高さ寸法を均一に揃えることができる。基礎構造物据付方法は、第１〜第４底部分に形成されたボルト孔と躯体のボルト孔とに設置された第１〜第４調整ボルトによって土台管を据付箇所に固定するから、マニュアル化された手順に従って躯体に対して土台管を容易に固定するができ、基礎構造物の工期を大幅に短縮することができる。基礎構造物据付方法は、第１〜第４調整ボルトが躯体のボルト孔に設置されるから、内側スペースに打設されたセメント硬化物の側圧が第１〜第４側壁に作用したとしても、躯体に固定された第１〜第４調整ボルトによってセメント硬化物の側圧による第１〜第４側壁の不用意な変形が防止され、第１〜第４側壁が変形した形状が歪な基礎構造物が作られることはなく、据付箇所に構造計算された設計どおりの基礎構造物を構築することができる。
【図面の簡単な説明】
【００４１】
【図１】一例として示す基礎構造物の斜視図。
【図２】図１の基礎構造物の断面図。
【図３】据付箇所に土台管を設置した後の断面図。
【図４】土台管に底枠部材を設置した後の断面図。
【図５】土台管および第１〜第４底部枠材の斜視図。
【図６】土台管に頂枠部材を設置した後の断面図．
【図７】第１〜第４頂部枠材の斜視図。
【図８】図６の上面図。
【図９】新設断熱材と新設防水材とを設置し、頂部枠材にスペーサとボルト位置決め枠とを設置した後の断面図。
【図１０】図９の上面図。
【図１１】土台管および枠材の内側スペースにコンクリートを打設した後の断面図。
【図１２】他の一例として示す基礎構造物の斜視図。
【図１３】図１２の基礎構造物の断面図。
【図１４】据付箇所に土台管を設置した後の断面図。
【図１５】土台管に底枠部材を設置した後の断面図。
【図１６】土台管および第１〜第４底部枠材の斜視図。
【図１７】土台管に頂枠部材を設置した後の断面図。
【図１８】新設断熱材と新設防水材とシンダーコンクリートとを設置し、頂部枠材にスペーサとボルト位置決め枠とを設置した後の断面図。
【図１９】土台管および枠材の内側スペースにコンクリートを打設した後の断面図。
【図２０】他の一例として示す据付基礎構造物の断面図。
【図２１】土台管および第１〜第４底部枠材の斜視図。
【図２２】図２１の上面図。
【図２３】据付箇所に土台管を設置するとともに、土台管に底枠部材を設置した後の断面図。
【図２４】新設断熱材と新設防水材とを設置し、頂部分にスペーサとボルト位置決め枠とを設置した後の断面図。
【図２５】図２４の上面図。
【発明を実施するための形態】
【００４２】
一例として示す基礎構造物１０Ａの斜視図である図１等の添付の図面を参照し、本発明にかかる基礎構造物据付方法の詳細を説明すると、以下のとおりである。なお、図２は、図１の基礎構造物１０Ａの断面図であり、図３は、据付箇所に土台管１１ａを設置した後の断面図である。図４は、土台管１１ａに底枠部材１３を設置した後の断面図であり、図５は、土台管１１ａおよび第１〜第４底部枠材１３ａ〜１３ｄの斜視図である。図１では、上下方向を矢印Ｘ１、横方向（径方向）を矢印Ｘ２で示し、前後方向（径方向）を矢印Ｘ３で示す。それら図（後記する図６〜図１１を含む）を参照し、基礎構造物１０Ａを基礎構造物ビルの屋上に設置する場合を例として、基礎構造物据付方法の各工程を説明すると、以下のとおりである。
【００４３】
図１では、既設のビル（既設建造物）の屋上に据え付けられた１つの基礎構造物１０Ａを図示しているが、基礎構造物１０Ａの数を図示のそれに限定するものではなく、一般的には複数の基礎構造物１０Ａが前後方向や横方向へ一列に並んだ状態でビルの屋上に据え付けられる。基礎構造物１０Ａは、既設のビル（既設建造物）の屋上や地下の既設防水材２６と既設断熱材２５とを取り除いた躯体２４（鉄筋コンクリート躯体）の所定の据付箇所に据え付けられる。
【００４４】
なお、既設のビル（既設建造物）の屋上や地下の既設シンダーコンクリート４０と既設断熱材２５と既設防水材２６とを取り除いた躯体２４（鉄筋コンクリート躯体）の所定の据付箇所に基礎構造物１０Ａが据え付けられる場合があり、または、既設のビル（既設建造物）の屋上や地下の既設シンダーコンクリート４０と既設防水材２６とを取り除いた躯体２４（鉄筋コンクリート躯体）の所定の据付箇所に基礎構造物１０Ａが据え付けられる場合がある。
【００４５】
基礎構造物据付方法では、据付準備工程、土台管固定工程、高さ・傾き調整工程、幅止めボルト設置工程、底部枠材固定工程、頂部枠材設置工程、新設防水材設置工程、支持ボルト設置工程、セメント硬化物打設工程、ボルト位置決め部材・スペーサ取り外し工程、頂部枠材取り外し工程を実施することにより、据付箇所に基礎構造物１０Ａを据え付ける。
【００４６】
基礎構造物１０Ａは、中空の土台管１１ａと、土台管１１ａの底部１２に固定されて底部１２から下方へ延びる底部枠材１３と、土台管１１ａの頂部１４に着脱可能に設置されて頂部１４から径方向外方へ延びるとともに上方へ延びる頂部枠材１５と、土台管１１ａの内側スペース１６に設置された幅止めボルト１７と、土台管１１ａおよびそれら枠材１３，１４の内側スペース１６に配筋された新設鉄筋１８、土台管１１ａと底部枠材１３との外周面全域に設置された新設防水材１９と、内側スペース１６に打設されたコンクリート２０（セメント硬化物）と、コンクリート２０に設置された支持ボルト２１とから作られている。なお、支持ボルト２１は、スペーサ２２およびボルト位置決め枠２３（ボルト位置決め部材）を利用して設置される。
【００４７】
土台管１１ａや底部枠材１３、頂部枠材１５、幅止めボルト１７、支持ボルト２１の基礎構成部材は、汎用部品化（規格化）され、製造工場においてあらかじめ製造される大量生産品である。基礎構造物据付方法では、それら基礎構成部材を使用して所定のマニュアル化された手順によって基礎構造物１０Ａを組み立てる。最初に、据付準備工程を実施する。それら基礎構成部材（土台管１１ａ、底部枠材１３、頂部枠材１５、幅止めボルト１７、支持ボルト２１）を輸送手段によって製造工場から施工現場（ビルの屋上）に搬送する。
【００４８】
基礎構造物１０Ａを据え付けるビルの屋上は、躯体２４（鉄筋コンクリート躯体）と、躯体２４の上に施設された（重なる）既設断熱材２５と、既設断熱材２５の上に施設された（重なる）既設防水材２６とから形成されている。据付準備工程では、ビルの屋上における基礎構造物１０Ａの据付箇所を位置決めし（墨出しする）、位置決めした据付箇所にマーキングをした後、その据付箇所において、既設防水材２６と既設断熱材２５とを取り除き（はつり）、躯体２４を露出させる。次に、据付箇所の躯体２４に配筋された既設鉄筋の位置をセンサを利用して検出する。躯体２４の既設鉄筋の位置を検出した後、躯体２４の各既設鉄筋を避けた位置に新設鉄筋１９を固定するアンカーホールを穿孔するとともに、後記する第１〜第４調整ボルト３０ａ〜３０ｄを螺着するボルト孔を穿孔する。
【００４９】
なお、ビルの屋上が既設シンダーコンクリート４０と既設断熱材２５と既設防水材２６と躯体２４（鉄筋コンクリート躯体）とから形成されている場合、既設シンダーコンクリート４０と既設断熱材２５と既設防水材２６とを取り除き（はつり）、躯体２４を露出させる。また、ビルの屋上が既設シンダーコンクリート４０と既設防水材２６と躯体２４（鉄筋コンクリート躯体）とから形成されている場合、既設シンダーコンクリート４０と既設防水材２６とを取り除き（はつり）、躯体２４を露出させる。
【００５０】
据付準備工程の作業が終了した後、土台管１１ａを固定する土台管固定工程を実施する。土台管固定工程では、図３に示すように、据付箇所における躯体２４の土台管設置位置に土台管１１ａを載置し、第１〜第４調整ボルト３０ａ〜３０ｄの軸を躯体２４に形成されたボルト孔に螺着して土台管１１ａを躯体２４に固定する。土台管１１ａは、第１〜第４側壁２７ａ〜２７ｄと頂部分２８と底部分２９と調整ボルト３０と長ナット３１とを有する。
【００５１】
土台管１１ａは、亜鉛メッキ鋼板を切削加工や折曲げ加工、溶接加工することによって製造されている。土台管１１ａを切削加工や折曲げ加工、溶接加工によって量産することができ、土台管１１ａの製造コストを大幅に節約することができるとともに、据付基礎構造物１０Ａの据付コストを少なくすることができる。なお、土台管１１ａは、その他の鋼材板やアルミ板、鉄板、合金板等の金属板から作ることができ、または、合成樹脂板から作ることができる。土台管１１ａが合成樹脂板から作られる場合、射出成型やプレス成形によって土台管１１ａを量産することができ、土台管１１ａの製造コストを大幅に節約することができるとともに、据付基礎構造物１０Ａの据付コストを少なくすることができる。
【００５２】
第１および第３側壁２７ａ，２７ｃは、横方向へ長い矩形に成型され、互いに対向して上下方向へ延びている。第２および第４側壁２７ｂ，２７ｄは、前後方向へ長い矩形に成型され、第１および第３側壁２７ａ，２７ｃに直交しつつ（直角に交差しつつ）互いに対向して上下方向へ延びている。第１〜第４側壁の底部には、ビスを螺着する複数のビス螺着孔が形成（穿孔）されている。第１〜第４側壁２７ａ〜２７ｄや頂部分２８、底部分２９の厚み寸法は、２〜２．５ｍｍの範囲にある。土台管１１ａを躯体２４に固定すると、土台管１１ａの第１〜第４側壁２７ａ〜２７ｄが躯体２４から上方へ離間し、躯体２４と土台管１１ａとの間に間隙が形成される。
【００５３】
頂部分２８は、第１側壁２７ａの頂部１４から径方向外方へ延びていて第１側壁２７ａの頂部１４に連接（溶接）された第１頂部分２８ａと、第２側壁２７ｂの頂部１４から径方向外方へ延びていて第２側壁２７ｂの頂部１４に連接（溶接）された第２頂部分２８ｂと、第３側壁２７ｃの頂部１４から径方向外方へ延びていて第３側壁２７ｃの頂部１４に連接（溶接）された第３頂部分２８ｃと、第４側壁２７ｄの頂部１４から径方向外方へ延びていて第４側壁２７ｄの頂部１４に連接（溶接）された第４頂部分２８ｄとから形成されている。第１〜第４頂部分２８ａ〜２８ｄは、第１〜第４側壁２７ａ〜２７ｄに対して直交（直角に交差）している。第１〜第４頂部分２８ａ〜２８ｄには、ビスを螺着する複数のビス螺着孔が形成（穿孔）されている。
【００５４】
底部分２９は、第１側壁２７ａの底部１２から径方向内方へ延びていて第１側壁２７ａの底部１２に連結（溶接）された第１底部分２９ａと、第２側壁２７ｂの底部１２から径方向内方へ延びていて第２側壁２７ｂの底部１２に連接（溶接）された第２底部分２９ｂと、第３側壁２７ｃの底部１２から径方向内方へ延びていて第３側壁２７ｃの底部１２に連接（溶接）された第３底部分２９ｃと、第４側壁２７ｄの底部１２から径方向内方へ延びていて第４側壁２７ｄの底部１２に連接（溶接）された第４底部分２９ｄとから形成されている。第１〜第４底部分２９ａ〜２９ｄは、第１〜第４側壁２７ａ〜２７ｄに対して直交（直角に交差）している。第１〜第４底部分２９ａ〜２９ｄには、調整ボルト３０を挿通（設置）するボルト孔が形成（穿孔）されている。
【００５５】
調整ボルト３０は、鋼材やアルミ、鉄、合金等の金属、または、合成樹脂から作られている。調整ボルト３０は、雄螺子（図示せず）が作られた軸とボルトヘッドとから形成された六角ボルトである。調整ボルト３０は、躯体２４に対する土台管１１ａの高さおよび傾きを調整するとともに、土台管１１ａを躯体２４に強固に固定する。調整ボルト３０は、第１底部分２９ａに設置される第１調整ボルト３０ａと、第２底部分２９ｂに設置される第２調整ボルト３０ｂと、第３底部分２９ｃに設置される第３調整ボルト３０ｃと、第４底部分２９ｄに設置される第４調整ボルト３０ｄとから形成されている（図８の上面図を参照）。
【００５６】
第１調整ボルト３０ａは、第１底部分２９ａに形成されたボルト孔に挿通（設置）され、躯体２４に形成されたボルト孔に螺着（設置）されている。躯体２４と第１底部分２９ａとの間に延びるボルト３０ａの軸には、六角ナット３２が螺着されている。土台管固定工程において、第１調整ボルト３０ａの軸を躯体２４のボルト孔に螺着することで、第１側壁２７ａ（土台管１１ａ）が躯体２４に強固に固定される。
【００５７】
第２調整ボルト３０ｂは、第２底部分２９ｂに形成されたボルト孔に挿通（設置）され、躯体２４に形成されたボルト孔に螺着（設置）されている。躯体２４と第２底部分２９ｂとの間に延びるボルト３０ｂの軸には、六角ナット３２が螺着されている。土台管固定工程において、第２調整ボルト３０ｂの軸を躯体２４のボルト孔に螺着することで、第２側壁２７ｂ（土台管１１ａ）が躯体２４に強固に固定される。
【００５８】
第３調整ボルト３０ｃは、第３底部分２９ｃに形成されたボルト孔に挿通（設置）され、躯体２４に形成されたボルト孔に螺着（設置）されている。躯体２４と第３底部分２９ｃとの間に延びるボルト３０ｃの軸には、六角ナット３２が螺着されている。土台管固定工程において、第３調整ボルト３０ｃの軸を躯体２４のボルト孔に螺着することで、第３側壁２７ｃ（土台管１１ａ）が躯体２４に強固に固定される。
【００５９】
第４調整ボルト３０ｄは、第４底部分２９ｄに形成されたボルト孔に挿通（設置）され、躯体２４に形成されたボルト孔に螺着（設置）されている。躯体２４と第４底部分２９ｄとの間に延びるボルト３０ｄの軸には、六角ナット３２が螺着されている。土台管固定工程において、第４調整ボルト３０ｄの軸を躯体２４のボルト孔に螺着することで、第４側壁２７ｄ（土台管１１ａ）が躯体に強固に固定される。
【００６０】
長ナット３１は、土台管１１ａの中央部３３における第１および第３側壁２７ａ，２７ｃの内壁面に固定された第１長ナット３１ａと、土台管１１ａの中央部３３における第２および第４側壁２７ｂ，２７ｄの内壁面に固定された第２長ナット３１ｂとから形成されている。幅止めボルト１７は、土台管１１ａの中央部３３における第１および第３側壁２７ａ，２７ｃの間に延びる第１幅止めボルト１７ａと、土台管１１ａの中央部３３における第２および第４側壁２７ｂ，２７ｄの間に延びる第２幅止めボルト１７ｂとから形成されている。工場から搬送された土台管１１ａには、第１〜第４底部分２９ａ〜２９ｄに形成されたボルト孔に第１〜第４調整ボルト３０ａ〜３０ｄが挿通（設置）され、それら調整ボルトト３０ａ〜３０ｄに六角ナット３２が螺着されているとともに、第１〜第４側壁２７ａ〜２７ｄの内壁面に第１および第２長ナット３１ａ，３１ｂが溶接されている。
【００６１】
土台管固定工程の作業が終了した後、土台管１１ａの高さや傾き調整する高さ・傾き調整工程を実施する。高さ・傾き調整工程では、第１調整ボルト３０ａの軸に対する六角ナット３２の螺着位置を調整することで、躯体２４に対する第１側壁２７ａ（土台管１１ａ）の高さおよび傾きを調整し、第２調整ボルト３０ｂの軸に対する六角ナット３２の螺着位置を調整することで、躯体２４に対する第２側壁２７ｂ（土台管１１ａ）の高さおよび傾きを調整する。さらに、第３調整ボルト３０ｃの軸に対する六角ナット３２の螺着位置を調整することで、躯体２４に対する第３側壁２７ｃ（土台管１１ａ）の高さおよび傾きを調整し、第４調整ボルト３０ｄの軸に対する六角ナット３２の螺着位置を調整することで、躯体２４に対する第４側壁２７ｄ（土台管１１ａ）の高さおよび傾きを調整する。ナット３２を時計回りに回転させることで、土台管１１ａを躯体２４から離間するように移動（上昇）させることができ、ナット３２を反時計回りに回転させることで、土台管１１ａを躯体２４に近づくように移動（下降）させることができる。
【００６２】
高さ・傾き調整工程の作業が終了した後、土台管１１ａに幅止めボルト１７ａ，１７ｂを設置する幅止めボルト設置工程を実施する。幅止めボルト設置工程では、土台管１１ａの第１および第３側壁２７ａ，２７ｃの内壁面に固定（溶接）された第１長ナット３１ａに第１幅止めボルト１７ａを螺着し、第１幅止めボルト１７ａによって第１側壁２７ａと第３側壁２７ｃとを連結し、土台管１１ａの第２および第４側壁２７ｂ，２７ｄの内壁面に固定（溶接）された第２長ナット３１ｂに第２幅止めボルト１７ｂを螺着し、第２幅止めボルト１７ｂによって第２側壁２７ｂと第４側壁２７ｄとを連結する。第１および第３側壁２７ａ，２７ｃの間に延びる第１幅止めボルト１７ａによって内側スペース１６に打設されたコンクリート２０の側圧による第１および第３側壁２７ａ，２７ｃの変形が防止され、第２および第４側壁２７ｂ，２７ｄの間に延びる第２幅止めボルト１７ｂによって内側スペース１６に打設されたコンクリート２０の側圧による第２および第４側壁２７ｂ，２７ｄの変形が防止される。
【００６３】
幅止めボルト設置工程の作業が終了した後、側壁２７ａ〜２７ｄの離間寸法を調整する離間寸法第１調整工程を実施する。離間寸法第１調整工程では、第１および第３側壁２７ａ，２７ｃの離間寸法（第１側壁２７ａと第３側壁２７ｃとの間の寸法）が設計寸法と微妙に異なる場合、第１幅止めボルト１７ａを時計回り方向または反時計回り方向に回転させ、第１および第３側壁２７ａ，２７ｃを離間させる方向または近接させる方向へ力を作用させ、第１幅止めボルト１７ａによって第１および第３側壁２７ａ，２７ｃの離間寸法を微調整し、それら側壁２７ａ，２７ｃの離間寸法を設計寸法に一致させる。
【００６４】
また、第２および第４側壁２７ｂ，２７ｄの離間寸法（第２側壁２７ｂと第４側壁２７ｄとの間の寸法）が設計寸法と微妙に異なる場合、第２幅止めボルト１７ｂを時計回り方向または反時計回り方向に回転させ、第２および第４側壁２７ｂ，２７ｄを離間させる方向または近接させる方向へ力を作用させ、第２幅止めボルト１７ｂによって第２および第４側壁２７ｂ，２７ｄの離間寸法を微調整し、それら側壁２７ｂ，２７ｄの離間寸法を設計寸法に一致させる。なお、メジャーによる計測の結果、第１および第３側壁２７ａ，２７ｃの離間寸法や第２および第４側壁２７ｂ，２７ｄの離間寸法が設計寸法どおりの場合、離間寸法第１調整工程は行われない。
【００６５】
離間寸法第１調整工程の作業が終了した後、土台管１１ａに底部枠材２７ａ〜２７ｄを固定する底部枠材固定工程を実施する。底部枠材１３は、亜鉛メッキ鋼板を切削加工や折曲げ加工することによって製造されている。なお、底部枠材１３は、その他の鋼材板やアルミ板、鉄板、合金板等の金属板から作ることができ、または、合成樹脂板から作ることができる。底部枠材１３が金属板や合成樹脂板から作られている場合、底部枠材１３を切削加工や折曲げ加工、射出成型、プレス成形によって量産することができ、底部枠材１３の製造コストを大幅に節約することができるとともに、据付基礎構造物１０Ａの据付コストを少なくすることができる。
【００６６】
底部枠材１３は、第１側壁２７ａの底部１２から下方へ延びる矩形の第１底部枠材１３ａと、第２側壁２７ｂの底部１２から下方へ延びる矩形の第２底部枠材１３ｂと、第３側壁２７ｃの底部１２から下方へ延びる矩形の第３底部枠材１３ｃと、第４側壁２７ｄの底部１２から下方へ延びる矩形の第４底部枠材１３ｄとから形成されている。第１〜第４底部枠材１３ａ〜１３ｄには、ビスを螺着する複数のビス螺着孔が形成（穿孔）されている。第１〜第４底部枠材１３ａ〜１３ｄの厚み寸法は、２〜２．５ｍｍの範囲にある。
【００６７】
底部枠材固定工程では、図４，５に示すように、土台管１１ａの第１側壁２７ａの底部１２における外面に第１底部枠材１３ａを配置し、第１側壁２７ａと第１底部枠材１３ａとに形成されたビス螺着孔を一致させ、ビス螺着孔にビスを螺着して第１側壁２７ａに第１底部枠材１３ａを強固に固定する。第１側壁２７ａに第１底部枠材１３ａを固定すると、第１側壁２７ａと躯体２４との間の間隙が塞がれる。土台管１１ａの第２側壁２７ｂの底部１２における外面に第２底部枠材１３ｂを配置し、第２側壁２７ｂと第２底部枠材１３ｂとに形成されたビス螺着孔を一致させ、ビス螺着孔にビスを螺着して第２側壁２７ｂに第２底部枠材１３ｂを固定する。第２側壁２７ｂに第２底部枠材１３ｂを固定すると、第２側壁２７ｂと躯体２４との間の間隙が塞がれる。
【００６８】
さらに、土台管１１ａの第３側壁２７ｃの底部１２における外面に第３底部枠材１３ｃを配置し、第３側壁２７ｃと第３底部枠材１３ｃとに形成されたビス螺着孔を一致させ、ビス螺着孔にビスを螺着して第３側壁２７ｃに第３底部枠材１３ｃを固定する。第３側壁２７ｃに第３底部枠材１３ｃを固定すると、第３側壁２７ｃと躯体２４との間の間隙が塞がれる。土台管１１ａの第４側壁２７ｄの底部１２における外面に第４底部枠材１３ｄを配置し、第４側壁２７ｄと第４底部枠材１３ｄとに形成されたビス螺着孔を一致させ、ビス螺着孔にビスを螺着して第４側壁２７ｄに第４底部枠材１３ｄを固定する。第４側壁２７ｄに第４底部枠材１３ｄを固定すると、第４側壁２７ｄと躯体２４との間の間隙が塞がれる。
【００６９】
図６は、土台管１１ａに頂枠部材１５を設置した後の断面図であり、図７は、第１〜第４頂部枠材１５ａ〜１５ｄの斜視図である。図８は、図６の上面図である。図９は、新設断熱材３７と新設防水材１９とを設置し、頂部枠材１５ａ〜１５ｄにスペーサ２２とボルト位置決め枠２３とを設置した後の断面図であり、図１０は、図９の上面図である。図１１は、土台管１１ａおよび枠材１３，１５の内側スペース１６にコンクリート２０を打設した後の断面図である。図８，１０では、鉄筋１８の図示を省略している。
【００７０】
底部枠材固定工程の作業が終了した後、土台管１１ａに頂部枠材１５ａ〜１５ｄを設置する頂部枠材設置工程を実施する。頂部枠材１５は、亜鉛メッキ鋼板を切削加工や折曲げ加工することによって製造されている。なお、頂部枠材１５は、その他の鋼材板やアルミ板、鉄板、合金板等の金属板から作ることができ、または、合成樹脂板から作ることができる。頂部枠材１５が金属板や合成樹脂板から作られている場合、頂部枠材１５を切削加工や折曲げ加工、射出成型、プレス成形によって量産することができ、頂部枠材１５の製造コストを大幅に節約することができるとともに、据付基礎構造物１０Ａの据付コストを少なくすることができる。頂部枠材１５は、第１頂部分２８ａに着脱可能に設置される第１頂部枠材１５ａと、第２頂部分２８ｂに着脱可能に設置される第２頂部枠材１５ｂと、第３頂部分２８ｃに着脱可能に設置される第３頂部枠材１５ｃと、第４頂部分２８ｄに着脱可能に設置される第４頂部枠材１５ｄとから形成されている。第１〜第４頂部枠材１５ａ〜１５ｄの厚み寸法は、２〜２．５ｍｍの範囲にある。
【００７１】
第１頂部枠材１５ａは、径方向外方へ延びる水平部分３４と、水平部分３４の延出端から上方へ延びる垂直部分３５と、垂直部分３５の延出端から直角に折れ曲がる折曲部分３６とを有する。第１頂部枠材１５ａの水平部分３４や垂直部分３５、折曲部分３６には、ビスを螺着する複数のビス螺着孔が形成（穿孔）されている。第２頂部枠材１５ｂは、径方向外方へ延びる水平部分３４と、水平部分３４の延出端から上方へ延びる垂直部分３５と、垂直部分３５の延出端から直角に折れ曲がる折曲部分３６とを有する。第２頂部枠材１５ｂの水平部分３４や垂直部分３５、折曲部分３６には、ビスを螺着する複数のビス螺着孔が形成（穿孔）されている。
【００７２】
第３頂部枠材１５ｃは、径方向外方へ延びる水平部分３４と、水平部分３４の延出端から上方へ延びる垂直部分３５と、垂直部分３５の延出端から直角に折れ曲がる折曲部分３６とを有する。第３頂部枠材１５ｃの水平部分３４や垂直部分３５、折曲部分３６には、ビスを螺着する複数のビス螺着孔が形成（穿孔）されている。第４頂部枠材１５ｄは、径方向外方へ延びる水平部分３４と、水平部分３４の延出端から上方へ延びる垂直部分３５と、垂直部分３５の延出端から直角に折れ曲がる折曲部分３６とを有する。第４頂部枠材１５ｄの水平部分３４や垂直部分３５、折曲部分３６には、ビスを螺着する複数のビス螺着孔が形成（穿孔）されている。それら頂部枠材１５ａ〜１５ｄの垂直部分３５は水平部分３４に対して直交（直角に交差）し、折曲部分３６は垂直部分３５に対して直交（直角に交差）している。
【００７３】
頂部枠材設置工程では、図６に示すように、第１頂部枠材１５ａの水平部分３４を土台管１１ａの第１頂部分２８ａの下方（下面）に配置し、第１頂部分２８ａと第１頂部枠材１５ａの水平部分３４とに形成されたビス螺着孔を一致させ、ビス螺着孔にビスを螺着して第１頂部枠材１５ａを土台管１１ａの第１頂部分２８ａに着脱可能に連結（設置）する。第１頂部枠材１５ａを第１頂部分２８ａに連結すると、第１頂部枠材１５ａの水平部分３４が第１頂部分２８ａから径方向外方へ延び、第１頂部枠材１５ａの垂直部分３５が土台管１１ａの第１側壁２７ａの頂部１４から上方に延びるとともに、第１頂部枠材１５ａの折曲部分３６が第２側壁２７ｂの頂部１４から上方へ延びる。
【００７４】
第２頂部枠材１５ｂの水平部分３４を土台管１１ａの第２頂部分２８ｂの下方（下面）に配置し、第２頂部枠材１５ｂの垂直部分３５の外側（垂直部分３５の外面）を第１頂部枠材１５ａの折曲部分３６の内側（折曲部分３６の内面）に重ね、第２頂部分２８ｂと水平部分３４とに形成されたビス螺着孔を一致させるとともに、第２頂部枠材１５ｂの垂直部分３５と第１頂部枠材１５ａの折曲部分３６とに形成されたビス螺着孔を一致させ、それらビス螺着孔にビスを螺着して第２頂部枠材１５ｂを土台管１１ａの第２頂部分２８ｂに着脱可能に連結（設置）し、第２頂部枠材１５ｂの垂直部分３５を第１頂部枠材１５ａの折曲部分３６に着脱可能に連結（設置）する。第２頂部枠材１５ｂを第２頂部分２８ｂに連結すると、第２頂部枠材１５ｂの水平部分３４が第２頂部分２８ｂから径方向外方へ延び、第２頂部枠材１５ｂの垂直部分３５が土台管１１ａの第２側壁２７ｂの頂部１４から上方に延びるとともに、第２頂部枠材１５ｂの折曲部分３６が第３側壁２７ｃの頂部１４から上方へ延びる。
【００７５】
第３頂部枠材１５ｃの水平部分３４を土台管１１ａの第３頂部分２８ｃの下方（下面）に配置し、第３頂部枠材１５ｂの垂直部分３５の外側（垂直部分３５の外面）を第２頂部枠材１５ｂの折曲部分３６の内側（折曲部分３６の内面）に重ね、第３頂部分２８ｃと水平部分３４とに形成されたビス螺着孔を一致させるとともに、第３頂部枠材１５ｃの垂直部分３５と第２頂部枠材１５ｂの折曲部分３６とに形成されたビス螺着孔を一致させ、それらビス螺着孔にビスを螺着して第３頂部枠材１５ｃを土台管１１ａの第３頂部分２８ｃに着脱可能に連結（設置）し、第３頂部枠材１５ｃの垂直部分３５を第２頂部枠材１５ｂの折曲部分３６に着脱可能に連結（設置）する。第３頂部枠材１５ｃを第３頂部分２８ｃに連結すると、第３頂部枠材１５ｃの水平部分３４が第３頂部分２８ｃから径方向外方へ延び、第３頂部枠材１５ｃの垂直部分３５が土台管１１ａの第３側壁２７ｃの頂部１４から上方に延びるとともに、第３頂部枠材１５ｃの折曲部分３６が第４側壁２７ｄの頂部１４から上方へ延びる。
【００７６】
第４頂部枠材１５ｄの水平部分３４を土台管１１ａの第４頂部分２８ｄの下方（下面）に配置し、第４頂部枠材１５ｄの垂直部分３５の外側（垂直部分３５の外面）を第３頂部枠材１５ｃの折曲部分３６の内側（折曲部分３６の内面）に重ねるとともに、第４頂部枠材１５ｄの折曲部分３６の内側（折曲部分３６の内面）を第１頂部枠材１５ａの垂直部分３５の外側（垂直部分３５の外面）に重ねる。次に、第４頂部分２８ｄと水平部分３４とに形成されたビス螺着孔を一致させ、第４頂部枠材１５ｄの垂直部分３５と第３頂部枠材１５ｃの折曲部分３６とに形成されたビス螺着孔を一致させるとともに、第４頂部枠材１５ｄの折曲部分３６と第１頂部枠材１５ａの垂直部分３５とに形成されたビス螺着孔を一致させ、それらビス螺着孔にビスを螺着し、第４頂部枠材１５ｄを土台管１１ａの第４頂部分２８ｄに着脱可能に連結（設置）し、第４頂部枠材１５ｄの垂直部分３５を第３頂部枠材１５ｃの折曲部分３６に着脱可能に連結（設置）するとともに、第４頂部枠材１５ｄの折曲部分３６を第１頂部枠材１５ａの垂直部分３４に着脱可能に連結（設置）する。第４頂部枠材１５ｄを第４頂部分２８ｄに連結すると、第４頂部枠材１５ｄの水平部分３４が第４頂部分２８ｄから径方向外方へ延び、第４頂部枠材１５ｄの垂直部分３５が土台管１１ａの第４側壁２７ｄの頂部１４から上方に延びるとともに、第４頂部枠材１５ｄの折曲部分３６が第１側壁２７ａの頂部１４から上方へ延びる。
【００７７】
第１〜第４頂部枠材１５ａ〜１５ｄを第１〜第４頂部分２８ａ〜２８ｄに連結した後、躯体２４に形成されたアンカーホールに新設鉄筋１８を固定し、土台管１１ａおよびそれら枠材１３ａ〜１３ｄ，１５ａ〜１５ｄの内側スペース１６に新設鉄筋１８を配筋する。内側スペース１６に新設鉄筋１８を配筋した後、新設防水材１９を設置する新設防水材設置工程を実施する。新設防水材１９にはシート防水が利用されているが、シート防水の他に、ウレタン防水やアスファルト防水を利用することもできる。
【００７８】
新設防水材設置工程では、図９に示すように、据付箇所における第１〜第４底枠部材１５ａ〜１５ｄの外側の既設断熱材２５を取り除いた部分に新設断熱材３７を配置し、新設防水材１９を土台管１１ａの第１〜第４側壁２７ａ〜２７の外面と第１〜第４底枠部材１５ａ〜１５ｄの外面とに設置する。さらに、新設防水材１９を第１〜第４底枠部材１５ａ〜１５ｄから径方向外方に延長して設置し、新設防水材１９によって第１〜第４底枠部材１５ａ〜１５ｄの周囲に設置された新設断熱材３７と第１〜第４底枠部材１５ａ〜１５ｄの周囲に位置する躯体２４とを被覆する。
【００７９】
新設防水材設置工程の作業が終了した後、頂部枠材１５ａ〜１５ｄに支持ボルト２１を設置する支持ボルト設置工程を実施する。支持ボルト２１は、鋼材やアルミ、鉄、合金等の金属、または、合成樹脂から作られている。支持ボルト２１は、雄螺子（図示せず）が作られてコンクリート２０から上方へ露出する螺子上部３８と、コンクリート２０に固定された螺子下部３９とを有する。図７では、４本の支持ボルト２１を図示しているが、支持ボルト２１の本数に特に制限はなく、その本数を必要に応じて変えることができる。
【００８０】
支持ボルト２１は、頂部枠材１５ａ〜１５ｄの上に設置された２つのスペーサ２２と、それらスペーサ２２の上に設置されて支持ボルト２１を挿脱可能に設置するボルト位置決め枠２３（ボルト位置決め部材）とを利用して設置される。それらスペーサ２２は、第２頂部枠材１５ｂと第４頂部枠材１５ｄとの間に架け渡される所定厚みの板材である。ボルト位置決め枠２３にはそれら支持ボルト２１を挿脱可能に挿通する４つのボルト孔が形成され、それらボルト孔に支持ボルト２１が挿通されている。
【００８１】
支持ボルト設置工程では、図９，１０に示すように、それらスペーサ２２を第２頂部枠材１５ｂと第４頂部枠材１５ｄとの間に架け渡し、それらスペーサ２２を第２頂部枠材１５ｂと第４頂部枠材１５ｄとに固定手段（図示せず）によって着脱可能に固定し、ボルト位置決め枠２３をそれらスペーサ２２の上に固定手段（図示せず）によって着脱可能に固定する。ボルト位置決め枠２３は、土台管１１ａの中央に配置される。スペーサ２２とボルト位置決め枠２３とを設置すると、ボルト位置決め枠２３の直下にスペーサ２２が介在することで、ボルト位置決め枠２３が第１〜第４頂部枠材１５ａ〜１５ｄの上端から上方へ離間し、支持ボルト２１の螺子上部３８が第１〜第４頂部枠材１５ａ〜１５ｄの上端から上方へ露出し、支持ボルト２１の螺子下部３９が第１〜第４頂部枠材１５ａ〜１５ｄの上端から下方へ延びる。
【００８２】
支持ボルト設置工程の作業が終了した後、内側スペース１６にコンクリート２０を打設するセメント硬化物打設工程を実施する。セメント硬化物打設工程では、図１１に示すように、土台管１１ａおよびそれら枠材１３ａ〜１３ｄ，１５ａ〜１５ｄの内側スペース１６にコンクリート２０を打設する。なお、内側スペース１６にコンクリート２０を打設した後（セメント硬化物打設工程の後）、新設断熱材３７と新設防水材１９（シート防水）とを設置する新設防水材設置工程を実施してもよい。
【００８３】
セメント硬化物打設工程におけるコンクリート２０を打設過程において、側壁２７ａ〜２７ｄの離間寸法を調整する離間寸法第２調整工程を実施する。内側スペース１６にコンクリート２０を打設する過程（コンクリート２０の打設中）において、第１および第３側壁２７ａ，２７ｂにコンクリート２０の側圧が作用し、それら側壁２７ａ，２７ｂの離間寸法（第１側壁２７ａと第３側壁２７ｂとの間の寸法）が変化する場合（離間寸法が大きくなり、または、離間寸法が小さくなる場合）がある。この場合、離間寸法第２調整工程では、第１幅止めボルト１７ａを回転させ、第１幅止めボルト１７ａによって第１および第３側壁２７ａ，２７ｂを離間させる方向または近接させる方向へ力を作用させ、第１幅止めボルト１７ａによって第１および第３側壁２７ａ，２７ｂの離間寸法を微調整し、メジャーによって離間寸法を計測しつつ第１および第３側壁２７ａ，２７ｂの離間寸法を設計寸法に一致させる。
【００８４】
また、内側スペース１６にコンクリート２０を打設する過程（コンクリート２０の打設中）において、第２および第４側壁２７ｂ，２７ｄにコンクリート２０の側圧が作用し、それら側壁２７ｂ，２７ｄの離間寸法（第２側壁２７ｂと第４側壁２７ｄとの間の寸法）が変化する場合（離間寸法が大きくなり、または、離間寸法が小さくなる場合）がある。この場合、離間寸法第２調整工程では、第２幅止めボルト１７ｂを回転させ、第２幅止めボルト１７ｂによって第２および第４側壁２７ｂ，２７ｄを離間させる方向または近接させる方向へ力を作用させ、第２幅止めボルト１７ｂによって第２および第４側壁２７ｂ，２７ｄの離間寸法を微調整し、メジャーによって離間寸法を計測しつつ第２および第４側壁２７ｂ，２７ｄの離間寸法を設計寸法に一致させる。
【００８５】
コンクリート２０を打設した後、コンクリート２０を所定期間養生する。コンクリート２０の養生期間が経過した後、頂部枠材１５ａ〜１５ｄからボルト位置決め部材２３とスペーサ２２とを取り外すボルト位置決め部材・スペーサ取り外し工程と土台管１１ａから頂部枠材１５ａ〜１５ｄを取り外す頂部枠材取り外し工程とを実施する。ボルト位置決め部材・スペーサ取り外し工程では、ボルト位置決め枠２３をスペーサ２２から取り外して支持ボルト２１からボルト位置決め枠２３を抜き取り、スペーサ２２を頂部枠材１５ａ〜１５ｄから取り外す。頂部枠材取り外し工程では、ビス螺着孔からビスを抜き取り、第１〜第４頂部枠材１５ａ〜１５ｄを土台管１１ａの第１〜第４頂折曲部分２８ａ〜２８ｄから取り外す。次に、土台管１１ａの頂部１４から上方へ露出するコンクリート２０の頂面と側面とに新設防水材（ウレタン防水）（図示せず）を設置し、図１に示す基礎構造物１０Ａが完成する。
【００８６】
図１２は、他の一例として示す基礎構造物１０Ｂの斜視図であり、図１３は、図１２の基礎構造物１０Ｂの断面図である。図１４は、据付箇所に土台管１１ｂを設置した後の断面図であり、図１５は、土台管１１ｂに底枠部材１３を設置した後の断面図である。図１６は、土台管１１ｂおよび第１〜第４底部枠材１３ａ〜１３ｄの斜視図であり、図１７は、土台管１１ｂに頂枠部材１５を設置した後の断面図である。図１８は、新設断熱材３７と新設防水材１９と新設シンダーコンクリート４１とを設置し、頂部枠材１５にスペーサ２２とボルト位置決め枠２３とを設置した後の断面図であり、図１９は、土台管１１ｂおよび枠材１３，１５の内側スペース１６にコンクリート２０を打設した後の断面図である。図１２では、上下方向を矢印Ｘ１、横方向（径方向）を矢印Ｘ２で示し、前後方向（径方向）を矢印Ｘ３で示す。
【００８７】
この基礎構造物１０Ｂが図１のそれと異なるところは、第３および第４長ナット３１ｃ，３１ｄが土台管１１ｂの頂部１４における第１〜第４側壁２７ａ〜２７ｄに設置されている点、第３および第４長ナット３１ｃ，３１ｄに第３および第４幅止めボルト１７ｃ，１７ｄが設置されている点、第１〜第４側壁２７ａ〜２７ｄと第１〜第４底部枠材１５ａ〜１５ｄとの外側に化粧板４２が設置されている点にある。基礎構造物１０Ｂのその他の構成については図１の基礎構造物１０Ａのそれらと同一であるから、図１と同一の符号を付すとともに、図１の基礎構造物１０Ａの説明を援用する。
【００８８】
図１２〜図１９を参照し、基礎構造物１０Ｂを基礎構造物ビルの屋上に設置する場合を例として、基礎構造物据付方法の各工程を説明すると、以下のとおりである。なお、基礎構造物１０Ｂを据え付ける基礎構造物据付方法の各工程は図１の基礎構造物１０Ａを据え付ける基礎構造物据付方法のそれらと略同一であるから、基礎構造物据付方法の各工程の詳細な説明は省略する。
【００８９】
基礎構造物１０Ｂは、既設のビル（既設建造物）の屋上や地下の既設シンダーコンクリート４０と既設断熱材２５と既設防水材２６とを取り除いた躯体２４（鉄筋コンクリート躯体）の所定の据付箇所に据え付けられる。基礎構造物１０Ｂは、中空の土台管１１ｂと、土台管１１ｂの底部１２に固定された底部枠材１３と、土台管１１ｂの頂部１４に着脱可能に設置された頂部枠材１５と、土台管１１ｂの内側スペース１６に設置された幅止めボルト１７と、土台管１１ｂおよびそれら枠材１３，１５の内側スペース１６に配筋された新設鉄筋１８と、土台管１１ｂと底部枠材１３との外周面全域に設置された新設防水材１９と、内側スペース１６に打設されたコンクリート２０（セメント硬化物）と、コンクリート２０に設置された支持ボルト２１と、土台管１１ｂの周囲を囲む化粧板４２とから形成されている。支持ボルト２１は、スペーサ２２およびボルト位置決め枠２３（ボルト位置決め部材）を利用して設置される。
【００９０】
図１の基礎構造物１０Ａと同様に、土台管１１ｂや底部枠材１３、頂部枠材１５、幅止めボルト１７、支持ボルト２１の基礎構成部材は、汎用部品化（規格化）され、製造工場においてあらかじめ製造される大量生産品である。基礎構造物据付方法では、それら基礎構成部材を使用して所定のマニュアル化された手順によって基礎構造物１０Ｂを組み立てる。最初に、据付準備工程を実施する。それら基礎構成部材（土台管１１ｂ、底部枠材１３、頂部枠材１５、幅止めボルト１７，支持ボルト２１）を輸送手段によって製造工場から施工現場（ビルの屋上）に搬送する。
【００９１】
基礎構造物１０Ｂを据え付けるビルの屋上は、躯体２４（鉄筋コンクリート躯体）と、躯体２４の上に施設された（重なる）既設防水材２６と、既設防水材２６の上に施設された（重なる）既設断熱材２５と、既設断熱材２５の上に施設された（重なる）既設シンダーコンクリート４０とから形成されている。据付準備工程では、ビルの屋上における基礎構造物１０Ｂの据付箇所を位置決め（墨出し）し、据付箇所にマーキングをした後、その据付箇所において、既設シンダーコンクリート４０と既設断熱材２５と既設防水材２６とを取り除き（はつり）、躯体２４を露出させる。次に、躯体２４の既設鉄筋の位置を検出した後、躯体２４の各既設鉄筋を避けた位置に新設鉄筋１８を固定するアンカーホールを穿孔するとともに、第１〜第４調整ボルト３０ａ〜３０ｄを螺着するボルト孔を穿孔する。
【００９２】
据付準備工程の後、土台管固定工程を実施する。土台管固定工程では、図１４に示すように、据付箇所における躯体２４の土台管設置位置に土台管１１ｂを載置し、第１〜第４調整ボルト３０ａ〜３０ｄの軸を躯体２４に形成されたボルト孔に螺着して土台管１１ｂを躯体２４に固定する。土台管１１ｂは、第１〜第４側壁２７ａ〜２７ｂと頂部分２８と底部分２９と調整ボルト３０と長ナット３１とを有する。第１〜第４側壁２７ａ〜２７ｂは、図１の基礎構造物１０Ａのそれらと同一である。
【００９３】
頂部分２８は、第１〜第４側壁２７ａ〜２７ｂの頂部１４から径方向外方へ延びている。頂部分２８は、第１〜第４頂部分２８ａ〜２８ｄから形成されている。底部分２９は、第１〜第４側壁２７ａ〜２７ｂの底部１２から径方向内方へ延びている。底部分２９は、第１〜第４底部分２９ａ〜２９ｄから形成されている。調整ボルト３０は、躯体２４に対する土台管１１ｂの高さおよび傾きを調整するとともに、土台管１１ｂを躯体２４に強固に固定する。調整ボルト３０は、第１〜第４調整ボルト３０ａ〜３０ｄから形成されている。第１〜第４調整ボルト３０ａ〜３０ｄは、第１〜第４底部分２９ａ〜２９ｄに形成されたボルト孔に挿通（設置）され、躯体２４に形成されたボルト孔に螺着（設置）されている。躯体２４と第１〜第４底部分２９ａ〜２９ｄとの間に延びるボルト３０ａ〜３０ｄの軸には、六角ナット３２が螺着されている。
【００９４】
長ナット３１は、土台管１１ｂの中央部３３における第１および第３側壁２７ａ，２７ｃの内壁面に固定された第１長ナット３１ａと、土台管１１ｂの中央部２７における第２および第４側壁２７ｂ，２７ｄの内壁面に固定された第２長ナット３１ｂと、土台管１１ｂの頂部１４における第１および第３側壁２７ａ，２７ｃの内壁面に固定された第３長ナット３１ｃと、土台管１１ｂの頂部１４における第２および第４側壁２７ｂ，２７ｄの内壁面に固定された第４長ナット３１ｄとから形成されている。
【００９５】
幅止めボルト１７は、土台管１１ｂの中央部３３における第１および第３側壁２７ａ，２７ｃの間に延びる第１幅止めボルト１７ａと、土台管１１ｂの中央部３３における第２および第４側壁２７ｂ，２７ｄの間に延びる第２幅止めボルト１７ｂと、土台管１１ｂの頂部１４における第１および第３側壁２７ａ，２７ｃの間に延びる第３幅止めボルト１７ｃと、土台管１１ｂの頂部１４における第２および第４側壁２７ｂ，２７ｄの間に延びる第２幅止めボルト１７ｄとから形成されている。
【００９６】
土台管固定工程の後、高さ・傾き調整工程を実施する。高さ・傾き調整工程では、第１〜第４調整ボルト３０ａ〜３０ｄの軸に対する六角ナット３２の螺着位置を調整して第１〜第４側壁２７ａ〜２７ｄ（土台管１１ｂ）の高さおよび傾きを調整する。高さ・傾き調整工程の後、幅止めボルト設置工程を実施する。幅止めボルト設置工程では、第１および第３側壁２７ａ，２７ｃの内壁面に固定された第１長ナット３１ａに第１幅止めボルト１７ａを螺着し、第１幅止めボルト１７ａによって第１側壁２７ａと第３側壁２７ｃとを連結し、第２および第４側壁２７ｂ，２７ｄの内壁面に固定された第２長ナット３１ｂに第２幅止めボルト１７ｂを螺着し、第２幅止めボルト１７ｂによって第２側壁２７ｂと第４側壁２７ｄとを連結する。さらに、第１および第３側壁２７ａ，２７ｃの内壁面に固定された第３長ナット３１ｃに第３幅止めボルト１７ｃを螺着し、第３幅止めボルト１７ｃによって第１側壁２７ａと第３側壁２７ｃとを連結し、第２および第４側壁２７ｂ，２７ｄの内壁面に固定された第４長ナット３１ｄに第４幅止めボルト１７ｄを螺着し、第４幅止めボルト１７ｄによって第２側壁２７ｂと第４側壁２７ｄとを連結する。
【００９７】
第１および第３側壁２７ａ，２７ｃの間に延びる第１および第３幅止めボルト１７ａ，１７ｃによって内側スペース１６に打設されたコンクリート２０の側圧による第１および第３側壁２７ａ，２７ｃの変形が防止され、第２および第４側壁２７ｂ，２７ｄの間に延びる第２および第４幅止めボルト１７ｂ，１７ｄによって内側スペース１６に打設されたコンクリート２０の側圧による第２および第４側壁２７ｂ，２７ｄの変形が防止される。
【００９８】
幅止めボルト設置工程の後、離間寸法第１調整工程を実施する。離間寸法第１調整工程では、第１および第３側壁２７ａ，２７ｃの離間寸法が設計寸法と微妙に異なる場合、第１および第３幅止めボルト１７ａ，１７ｃを時計回り方向または反時計回り方向に回転させ、第１および第３側壁２７ａ，２７ｃを離間させる方向または近接させる方向へ力を作用させ、第１および第３幅止めボルト１７ａ，１７ｃによって第１および第３側壁１７ａ，１７ｃの離間寸法を微調整し、離間寸法を設計寸法に一致させる。
【００９９】
また、第２および第４側壁２７ｂ，２７ｄの離間寸法が設計寸法と微妙に異なる場合、第２および第４幅止めボルト１７ｂ，１７ｄを時計回り方向または反時計回り方向に回転させ、第２および第４側壁２７ｂ，２７ｄを離間させる方向または近接させる方向へ力を作用させ、第２および第４幅止めボルト１７ｂ，１７ｄによって第２および第４側壁２７ｂ，２７ｄの離間寸法を微調整し、離間寸法を設計寸法に一致させる。
【０１００】
離間寸法第１調整工程の後、底部枠材固定工程を実施する。底部枠材１３は、第１〜第４底部枠材１３ａ〜１３ｄから形成されている。底部枠材固定工程では、図１５，１６に示すように、土台管１１ｂの第１側壁２７ａの底部１２における外面に第１底部枠材１３ａを配置し、ビス螺着孔にビスを螺着して第１側壁２７ａに第１底部枠材１３ａを強固に固定する。土台管１１ｂの第２側壁２７ｂの底部１２における外面に第２底部枠材１３ｂを配置し、ビス螺着孔にビスを螺着して第２側壁２７ｂに第２底部枠材１３ｂを固定する。さらに、土台管１１ｂの第３側壁２７ｃの底部１２における外面に第３底部枠材１３ｃを配置し、ビス螺着孔にビスを螺着して第３側壁２７ｃに第３底部枠材１３ｃを固定する。土台管１１ｂの第４側壁２７ｄの底部１２における外面に第４底部枠材１３ｄを配置し、ビス螺着孔にビスを螺着して第４側壁２７ｄに第４底部枠材１３ｄを固定する。
【０１０１】
底部枠材固定工程の後、頂部枠材設置工程を実施する。頂部枠材１５は、第１〜第４頂部枠材１５ａ〜１５ｄから形成されている。第１〜第４頂部枠材１５ａ〜１５ｄは、径方向外方へ延びる水平部分３４と、水平部分３４の延出端から上方へ延びる垂直部分３５と、垂直部分３５の延出端から直角に折れ曲がる折曲部分３６とを有する。
【０１０２】
頂部枠材設置工程では、図１７に示すように、第１頂部枠材１５ａの水平部分３４を土台管１１ｂの第１頂部分２８ａの下方（下面）に配置し、ビス螺着孔にビスを螺着して第１頂部枠材１５ａを土台管１１ｂの第１頂部分２８ａに着脱可能に連結（設置）する。第２頂部枠材１５ｂの水平部分３４を土台管１１ｂの第２頂部分２８ｂの下方（下面）に配置し、第２頂部枠材１５ｂの垂直部分３５の外側（垂直部分３５の外面）を第１頂部枠材１５ａの折曲部分３６の内側（折曲部分の内面）に重ね、ビス螺着孔にビスを螺着して第２頂部枠材１５ｂを土台管１１ｂの第２頂部分２８ｂに着脱可能に連結（設置）し、第２頂部枠材１５ｂの垂直部分３５を第１頂部枠材１５ａの折曲部分３６に着脱可能に連結（設置）する。
【０１０３】
さらに、第３頂部枠材１５ｃの水平部分３４を土台管１１ｂの第３頂部分２８ｃの下方（下面）に配置し、第３頂部枠材１５ｃの垂直部分３５の外側（垂直部分３５の外面）を第２頂部枠材１５ｂの折曲部分３６の内側（折曲部分３６の内面）に重ね、ビス螺着孔にビスを螺着して第３頂部枠材１５ｃを土台管１１ｂの第３頂部分２８ｃに着脱可能に連結（設置）し、第３頂部枠材１５ｃの垂直部分３５を第２頂部枠材１５ｂの折曲部分３６に着脱可能に連結（設置）する。
【０１０４】
第４頂部枠材１５ｄの水平部分３４を土台管１１ｂの第４頂部分２８ｄの下方（下面）に配置し、第４頂部枠材１５ｄの垂直部分３５の外側（垂直部分３５の外面）を第３頂部枠材１５ｃの折曲部分３６の内側（折曲部分３６の内面）に重ねるとともに、第４頂部枠材１５ｄの折曲部分３６の内側（折曲部分３６の内面）を第１頂部枠材１５ａの垂直部分３５の外側（垂直部分３５の外面）に重ね、ビス螺着孔にビスを螺着し、第４頂部枠材１５ｄを土台管１１ｂの第４頂部分２８ｄに着脱可能に連結（設置）し、第４頂部枠材１５ｄの垂直部分３５を第３頂部枠材１５ｃの折曲部分３６に着脱可能に連結（設置）するとともに、第４頂部枠材１５ｄの折曲部分３６を第１頂部枠材１５ａの垂直部分３５に着脱可能に連結（設置）する。
【０１０５】
頂部枠材設置工程の後、躯体２４に形成されたアンカーホールに新設鉄筋１８を固定し、土台管１１ｂおよびそれら枠材１３，１５の内側スペース１６に新設鉄筋１８を配筋する。内側スペース１６に新設鉄筋１８を配筋した後、新設防水材設置工程を実施する。新設防水材１９にはアスファルト防水が利用されている。新設防水材設置工程では、図１８に示すように、新設防水材１９を土台管１１ｂの第１〜第４側壁２７ａ〜２７ｄの外面と第１〜第４底枠部材１３ａ〜１３ｄの外面とに設置するとともに、新設防水材１９を第１〜第４底枠部材１３ａ〜１３ｄから径方向外方に延長して新設防水材１９を既設防水材２６の上に設置し（重ね）、新設防水材１９によって第１〜第４底枠部材１３ａ〜１３ｄの周囲に位置する躯体２４を被覆する。次に、既設防水材２６の上に重なる新設防水材１９の上に新設断熱材３７を設置（重ね）し、新設断熱材３７の上に新設シンダーコンクリート４１を打設する。
【０１０６】
新設防水材設置工程の後、支持ボルト設置工程を実施する。支持ボルト２１は、頂部枠材１５ａ〜１５ｄの上に設置されたスペーサ２２と、それらスペーサ２２の上に設置されて支持ボルト２１を挿脱可能に設置するボルト位置決め枠２３（ボルト位置決め部材）とを利用して設置される。支持ボルト設置工程では、スペーサ２２を第２頂部枠材１５ｂと第４頂部枠材１５ｄとの間に架け渡し、スペーサを第２頂部枠材１５ｂと第４頂部枠材１５ｄとに固定手段によって着脱可能に固定し、ボルト位置決め枠２３をスペーサ２２の上に固定手段によって着脱可能に固定する。スペーサ２２とボルト位置決め枠２３とを設置すると、支持ボルト２１の螺子上部３８が第１〜第４頂部枠材１５ａ〜１５ｄの上端から上方へ露出し、支持ボルト２１の螺子下部３９が第１〜第４頂部枠材１５ａ〜１５ｄの上端から下方へ延びる。
【０１０７】
支持ボルト設置工程の後、セメント硬化物打設工程を実施する。セメント硬化物打設工程では、図１９に示すように、土台管１１ｂおよびそれら枠材１３，１５の内側スペース１６にコンクリート２０を打設する。なお、内側スペース１６にコンクリート２０を打設した後、新設防水材設置工程を実施してもよい。セメント硬化物打設工程におけるコンクリート２０の打設過程（コンクリート２０を打設中）において、離間寸法第２調整工程を実施する。
【０１０８】
内側スペース１６にコンクリート２０を打設する過程において、第１および第３側壁２７ａ，２７ｃにコンクリート２０の側圧が作用し、それら側壁２７ａ，２７ｃの離間寸法が変化した場合、離間寸法第２調整工程において、第１および第３幅止めボルト１７ａ，１７ｃの少なくとも一方を回転させ、第１および第３幅止めボルト１７ａ，１７ｃのうちの少なくとの一方によって第１および第３側壁２７ａ，２７ｃを離間させる方向または近接させる方向へ力を作用させ、第１および第３側壁２７ａ，２７ｃの離間寸法を微調整し、メジャーによって離間寸法を計測しつつ離間寸法を設計寸法に一致させる。
【０１０９】
また、内側スペース１６にコンクリート２０を打設する過程において、第２および第４側壁２７ｂ，２７ｄにコンクリートの側圧が作用し、それら側壁２７ｂ，２７ｄの離間寸法が変化した場合、離間寸法第２調整工程において、第２および第４幅止めボルト１７ｂ，１７ｄの少なくとも一方を回転させ、第２および第４幅止めボルト１７ｂ，１７ｄの少なくとも一方によって第２および第４側壁２７ｂ，２７ｄを離間させる方向または近接させる方向へ力を作用させ、第２および第４側壁２７ｂ，２７ｄの離間寸法を微調整し、メジャーによって離間寸法を計測しつつ離間寸法を設計寸法に一致させる。
【０１１０】
内側スペース１６に打設したコンクリート２０の養生期間が経過した後、ボルト位置決め部材・スペーサ取り外し工程と頂部枠材取り外し工程とを実施する。ボルト位置決め部材・スペーサ取り外し工程では、ボルト位置決め枠２３をスペーサ２２から取り外して支持ボルト２１からボルト位置決め枠２３を抜き取り、スペーサ２２を頂部枠材１５から取り外す。頂部枠材取り外し工程では、第１〜第４頂部枠材１５ａ〜１５ｄを土台管１１ｂの第１〜第４頂分２８ａ〜２８ｄから取り外す。次に、土台管１１ｂの頂部１４から上方へ露出するコンクリート２０の頂面と側面とに新設防水材（ウレタン防水）（図示せず）を設置する。さらに、第１〜第４側壁２７ａ〜２７ｄと第１〜第４底部枠材１３ａ〜１３ｄとの外側に化粧板４２を配置し、化粧板４２の上部をコンクリート２０に固定し、化粧板４２の下部を新設シンダーコンクリート４１に固定することで、図１２に示す基礎構造物１０Ｂが完成する。
【０１１１】
基礎構造物据付方法は、基礎構造物１０Ａ，１０Ｂが中空の土台管１１ａ，１１ｂと底部枠材１３と頂部枠材１５と幅止めボルト１７と支持ボルト２１と新設防水材１９とコンクリート２０（セメント硬化物）とから形成され、土台管１１ａ，１１ｂ（調整ボルト３０ａ〜３０ｄ、長ナット３１ａ〜３１ｄを含む。）や底部枠材１３、頂部枠材１５、幅止めボルト１７、支持ボルト２１が製造工場においてあらかじめ製造されて汎用部品化（規格化）されており、既設建造物の躯体２４の据付箇所においてマニュアル化された手順に従って基礎構造物１０Ａ，１０Ｂがユニットとして組み立てられるから、基礎構造物１０Ａ，１０Ｂを据え付ける際に、その現場において型枠を組み上げる必要や型枠を解体する必要はなく、据付箇所に土台管１１ａ，１１ｂを固定しつつ調整ボルト３０ａ〜３０ｄを利用して躯体２４に対する土台管１１ａ，１１ｂの高さおよび傾きを調整し、第１〜第４側壁２７ａ〜２７ｄに幅止めボルト１７ａ〜１７ｄを設置するとともに、土台管１１ａ，１１ｂに底部枠材１３ａ〜１３ｄと頂部枠材１５ａ〜１５ｄとを設置し、内側スペース１６にコンクリート２０を打設するだけで基礎構造物１０Ａ，１０Ｂを据付箇所に据え付けることができ、型枠の組立や型枠の解体にかかる手間や時間、コストを省くことができる。
【０１１２】
基礎構造物据付方法は、基礎構造物１０Ａ，１０Ｂの据付作業を簡略化することができるのみならず、コンクリート２０の養生期間を待つことなく、新設防水材１９を設置する新設防水材設置作業、または、新設シンダーコンクリート４１を打設するシンダーコンクリート打設作業まで進めることができ、コンクリート２０の養生期間を待つことなく、新設防水材１９の設置作業が完了するとともに基礎構造物１０Ａ，１０Ｂの据付作業が完了するから、基礎構造物１０Ａ，１０Ｂの据付時間にコンクリート２０の養生期間が入らず、据付箇所に複数の基礎構造物１０Ａや基礎構造物１０Ｂを迅速に据え付けることができ、基礎構造物１０Ａや基礎構造物１０Ｂの工期を大幅に短縮することができる。基礎構造物据付方法は、基礎構造物１０Ａ，１０Ｂの工期を大幅に短縮することができ、基礎構造物１０Ａ，１０Ｂの構築にかかる人件費を大幅に低減することができるから、基礎構造物１０Ａ，１０Ｂの据付にかかるコストを低下させることができ、基礎構造物１０Ａ，１０Ｂを廉価に構築することができる。基礎構造物据付方法は、施工現場の据付箇所において型枠を組み上げる必要はなく、マニュアル化された手順に従ってそれらを組み立てることができるから、型枠工の技術がない作業者でも基礎構造物１０Ａ，１０Ｂを容易に構築することができる。
【０１１３】
基礎構造物据付方法は、土台管１１ａ，１１ｂの第１〜第４底部分２９ａ〜２９ｄに形成されたボルト孔と躯体２４に形成されたボルト孔とに第１〜第４調整ボルト３０ａ〜３０ｄが設置され、それら調整ボルト３０ａ〜３０ｄによって土台管１１ａ，１１ｂが躯体２４に固定されるとともに、コンクリート２５の養生期間が経過した後にそれら調整ボルト３０ａ〜３０ｄや長ナット３１ａ〜３１ｄ、幅止めボルト１７ａ〜１７ｄ、新設鉄筋１８がコンクリート２０と一体になり、基礎構造物１０Ａや基礎構造物１０Ｂにかかる荷重を調整ボルト３０ａ〜３０ｄや長ナット３１ａ〜３１ｄ、幅止めボルト１７ａ〜１７ｄ、新設鉄筋１８、コンクリート２０で分担するから、既設建造物の躯体２４の所定の据付箇所に強固に据え付けることができ、ソーラーパネルやアンテナ、貯水槽、浄化槽、空調機器等の重量のある機械器具、鉄塔や鉄骨柱、鉄骨建設物等の重量のある建築物を確実に支持することが可能な基礎構造物１０Ａ，１０Ｂを構築することができる。
【０１１４】
基礎構造物据付方法は、土台管１１ａ，１１ｂおよび枠材１３，１５の内側スペース１６に打設されたコンクリート２０の側圧が第１〜第４側壁２７ａ〜２７ｄに作用したとしても、土台管１１ａ，１１ｂに設置された幅止めボルト１７ａ〜１７ｄがコンクリート２０の側圧による第１〜第４側壁２７ａ〜２７ｄの変形を防止するから、第１〜第４側壁２７ａ〜２７ｄが変形した形状が歪な基礎構造物が作られることはなく、据付箇所に構造計算（強度計算）された設計どおりの基礎構造物１０Ａや基礎構造物１０Ｂを構築することができる。
【０１１５】
基礎構造物据付方法は、内側スペース１６にコンクリート２０を打設する前に、第１幅止めボルト１７ａによって第１および第３側壁２７ａ，２７ｃの離間寸法が微調整され、第２幅止めボルト１７ｂによって第２および第４側壁２７ｂ，２７ｄの離間寸法が微調整されるから、第１および第３側壁２７ａ，２７ｃの離間寸法や第２および第４側壁２７ｂ，２７ｄの離間寸法が設計寸法と微妙に異なっていたとしても、それら側壁２７ａ〜２７ｄの離間寸法を設計寸法に一致させることができ、設計寸法どおりの基礎構造物１０Ａを構築することができる。
【０１１６】
基礎構造物据付方法は、内側スペース１６にコンクリート２０を打設する前に、第１および第３幅止めボルト１７ａ，１７ｃのうちの少なくとも一方によって第１および第３側壁２７ａ，２７ｃの離間寸法が微調整され、第２および第４幅止めボルト１７ｂ，１７ｄのうちの少なくとも一方によって第２および第４側壁２７ｂ，２７ｄの離間寸法が微調整されるから、第１および第３側壁２７ａ，２７ｃの離間寸法や第２および第４側壁２７ｂ，２７ｄの離間寸法が設計寸法と微妙に異なっていたとしても、それら側壁２７ａ〜２７ｄの離間寸法を設計寸法に一致させることができ、設計寸法どおりの基礎構造物１０Ｂを構築することができる。
【０１１７】
基礎構造物据付方法は、内側スペース１６にコンクリート２０を打設する過程（コンクリート２０打設中）において、第１〜第４側壁２７ａ〜２７ｄにコンクリート２０の側圧が作用し、それら側壁２７ａ〜２７ｄの離間寸法が変化したとしても、第１幅止めボルト１７ａによって第１および第３側壁２７ａ，２７ｃの離間寸法を微調整することができ、第２幅止めボルト１７ｂによって第２および第４側壁２７ｂ，２７ｄの離間寸法を微調整することができるから、それら側壁２７ａ〜２７ｄの離間寸法を設計寸法に一致させることができ、設計寸法どおりの基礎構造物１０Ａを構築することができる。
【０１１８】
基礎構造物据付方法は、内側スペース１６にコンクリート２０を打設する過程（コンクリート２０打設中）において、第１〜第４側壁２７ａ〜２７ｄにコンクリート２０の側圧が作用し、それら側壁２７ａ〜２７ｄの離間寸法が変化したとしても、第１および第３幅止めボルト１７ａ，１７ｃのうちの少なくとも一方によって第１および第３側壁２７ａ，２７ｃの離間寸法を微調整することができ、第２および第４幅止めボルト１７ｂ，１７ｄのうちの少なくとも一方によって第２および第４側壁２７ｂ，２７ｄの離間寸法を微調整することができるから、それら側壁２７ａ〜２７ｄの離間寸法を設計寸法に一致させることができ、設計寸法どおりの基礎構造物１０Ｂを構築することができる。
【０１１９】
基礎構造物据付方法は、躯体２４に対する土台管１１ａ，１１ｂの高さおよび傾きを第１〜第４調整ボルト３０ａ〜３０ｄによって調整することができるから、据付箇所が傾斜していてとしても、据付箇所に対して土台管１１ａ，１１ｂを水平に設置することができるとともに、複数個の基礎構造物１０Ａや複数個の基礎構造物１０Ｂを据え付ける場合に、それら基礎構造物１０Ａどうしの高さ寸法やそれら基礎構造物１０Ｂどうしの高さ寸法を容易に調整することができ、それら基礎構造物１０Ａの高さ寸法を均一に揃えることができるとともに、それら基礎構造物１０Ｂの高さ寸法を均一に揃えることができる。
【０１２０】
基礎構造物据付方法は、基礎構造物１０Ａや基礎構造物１０Ｂが既設建造物の屋上に据え付けられた場合でも、底部枠材１３ａ〜１３ｄの周囲に位置する躯体２４が新設防水材１９に被覆されるから、土台管１１ａ，１１ｂや底部枠材１３ａ〜１３ｄ、躯体２４への水の侵入を防ぐことができ、土台管１１ａ，１１ｂや底部枠材１３ａ〜１３ｄに水が進入することによる土台管１１ａ，１１ｂや底部枠材１３ａ〜１３ｄの腐食や強度低下を防ぐことができ、躯体２４に水が進入することによる躯体２４の劣化を防ぐことができる。
【０１２１】
図２０は、他の一例として示す据付基礎構造物１０Ｃの断面図であり、図２１は、土台管１１ｃおよび第１〜第４底部枠材１３ａ〜１３ｄの斜視図である。図２２は、図２１の上面図であり、図２３は、据付箇所に土台管１１ｃを設置するとともに、土台管１１ｃに底枠部材１３を設置した後の断面図である。図２４は、新設断熱材３７と新設防水材１９とを設置し、頂部分４３にスペーサ２２とボルト位置決め枠２３とを設置した後の断面図であり、図２５は、図２４の上面図である。
【０１２２】
この据付基礎構造物１０Ｃが図１のそれと異なるところは、土台管１１ｃに頂部枠材１５が設置されておらず、土台管１１ｃが頂部枠材１５の替わりの頂部分４３を有する点、第１〜第４側壁２７ａ〜２７ｄと第１〜第４底部枠材１３ａ〜１３ｄとの外側に化粧板４２が設置されている点にある。据付基礎構造物１０Ｃのその他の構成については図１の据付基礎構造物１０Ａのそれらと同一であるから、図１と同一の符号を付すとともに、図１の据付基礎構造物１０Ａの説明を援用する。
【０１２３】
図２０〜図２５を参照し、基礎構造物１０Ｃを基礎構造物ビルの屋上に設置する場合を例として、基礎構造物据付方法の各工程を説明すると、以下のとおりである。なお、基礎構造物１０Ｃを据え付ける基礎構造物据付方法の各工程は図１の基礎構造物１０Ａを据え付ける基礎構造物据付方法のそれらと略同一であるから、基礎構造物据付方法の各工程の詳細な説明は省略する。
【０１２４】
基礎構造物１０Ｃは、既設のビル（既設建造物）の屋上や地下の既設防水材３５と既設断熱材３４とを取り除いた躯体３３（鉄筋コンクリート躯体）の所定の据付箇所に据え付けられる。基礎構造物１０Ｃは、中空の土台管１１ｃと、土台管１１ｃの底部１２に固定された底部枠材１３と、土台管１１ｂの内側スペース１６に設置された幅止めボルト１７と、土台管１１ｃおよびそれら枠材１３，１５の内側スペース１６に配筋された新設鉄筋１８と、土台管１１ｃと底部枠材１３との外周面全域に設置された新設防水材１９と、内側スペース１６に打設されたコンクリート２０（セメント硬化物）と、コンクリート２０に設置された支持ボルト２１と、土台管１１ｃの周囲を囲む化粧板４２とから形成されている。支持ボルト２１は、スペーサ２２およびボルト位置決め枠２３（ボルト位置決め部材）を利用して設置される。
【０１２５】
図１の基礎構造物１０Ａと同様に、土台管１１ｃや底部枠材１３、幅止めボルト１７、支持ボルト２１の基礎構成部材は、汎用部品化（規格化）され、製造工場においてあらかじめ製造される大量生産品である。基礎構造物据付方法では、それら基礎構成部材を使用して所定のマニュアル化された手順によって基礎構造物１０Ｃを組み立てる。最初に、据付準備工程を実施する。それら基礎構成部材（土台管１１ｃ、底部枠材１３、幅止めボルト１７，支持ボルト２１）を輸送手段によって製造工場から施工現場（ビルの屋上）に搬送する。
【０１２６】
基礎構造物１０Ｂを据え付けるビルの屋上は、躯体２４（鉄筋コンクリート躯体）と、躯体２４の上に施設された（重なる）既設断熱材２５と、既設断熱材２５の上に施設された（重なる）既設防水材２６とから形成されている。据付準備工程では、ビルの屋上における基礎構造物１０Ｃの据付箇所を位置決め（墨出し）し、据付箇所にマーキングをした後、その据付箇所において、既設防水材２６と既設断熱材２５とを取り除き（はつり）、躯体２４を露出させる。次に、躯体２４の既設鉄筋の位置を検出した後、躯体２４の各既設鉄筋を避けた位置に新設鉄筋１８を固定するアンカーホールを穿孔するとともに、第１〜第４調整ボルト３０ａ〜３０ｄを螺着するボルト孔を穿孔する。
【０１２７】
据付準備工程の後、土台管固定工程を実施する。土台管固定工程では、図２３に示すように、据付箇所における躯体２４の土台管設置位置に土台管１１ｃを載置し、第１〜第４調整ボルト３０ａ〜３０ｄの軸を躯体２４に形成されたボルト孔に螺着して土台管１１ｃを躯体２４に固定する。土台管１１ｃは、第１〜第４側壁２７ａ〜２７ｂと頂部分２８と底部分２９と調整ボルト３０と長ナット３１とを有する。第１〜第４側壁２７ａ〜２７ｂは、図１の基礎構造物１０Ａのそれらと同一である。
【０１２８】
土台管１１ｃの頂部分２８は、第１〜第４側壁２７ａ〜２７ｄの頂部１４から径方向外方に延びた後、上方に延びている。頂部分２８は、第１〜第４頂部分２８ａ〜２８ｄから形成されている。第１頂部分２８ａは、第１側壁２７ａの頂部１４に連接（溶接）されて頂部１４から径方向外方へ延びる水平部分４４と、水平部分４４の延出端から上方へ延びる垂直部分４５とを有する。第２頂部分２８ｂは、第２側壁２７ｂの頂部１４に連接（溶接）されて頂部１４から径方向外方へ延びる水平部分４４と、水平部分４４の延出端から上方へ延びる垂直部分４５とを有する。第３頂部分２８ｃは、第３側壁２７ｃの頂部１４に連接（溶接）されて頂部１４から径方向外方へ延びる水平部分４４と、水平部分４４の延出端から上方へ延びる垂直部分４５とを有する。第４頂部分２８ｄは、第４側壁２７ｄの頂部１４に連接（溶接）されて頂部１４から径方向外方へ延びる水平部分４４と、水平部分４４の延出端から上方へ延びる垂直部分４５とを有する。
【０１２９】
底部分２９は、第１〜第４側壁２７ａ〜２７ｂの底部１２から径方向内方へ延びている。底部分２９は、第１〜第４底部分２９ａ〜２９ｄから形成されている。調整ボルト３０は、躯体２４に対する土台管１１ｂの高さおよび傾きを調整するとともに、土台管１１ｂを躯体２４に強固に固定する。調整ボルト３０は、第１〜第４調整ボルト３０ａ〜３０ｄから形成されている。第１〜第４調整ボルト３０ａ〜３０ｄは、第１〜第４底部分２９ａ〜２９ｄに形成されたボルト孔に挿通（設置）され、躯体２４に形成されたボルト孔に螺着（設置）されている。躯体２４と第１〜第４底部分２９ａ〜２９ｄとの間に延びるボルト３０ａ〜３０ｄの軸には、六角ナット３２が螺着されている。
【０１３０】
長ナット３１は、土台管１１ｃの中央部３３における第１および第３側壁２７ａ，２７ｃの内壁面に固定された第１長ナット３１ａと、土台管１１ｃの中央部２７における第２および第４側壁２７ｂ，２７ｄの内壁面に固定された第２長ナット３１ｂとから形成されている。幅止めボルト１７は、土台管１１ｃの中央部３３における第１および第３側壁２７ａ，２７ｃの間に延びる第１幅止めボルト１７ａと、土台管１１ｃの中央部３３における第２および第４側壁２７ｂ，２７ｄの間に延びる第２幅止めボルト１７ｂとから形成されている。
【０１３１】
土台管固定工程の後、高さ・傾き調整工程を実施する。高さ・傾き調整工程では、第１〜第４調整ボルト３０ａ〜３０ｄの軸に対する六角ナット３２の螺着位置を調整して第１〜第４側壁２７ａ〜２７ｄ（土台管１１ｃ）の高さおよび傾きを調整する。高さ・傾き調整工程の後、幅止めボルト設置工程を実施する。幅止めボルト設置工程では、第１および第３側壁２７ａ，２７ｃの内壁面に固定された第１長ナット３１ａに第１幅止めボルト１７ａを螺着し、第１幅止めボルト１７ａによって第１側壁２７ａと第３側壁２７ｃとを連結し、第２および第４側壁２７ｂ，２７ｄの内壁面に固定された第２長ナット３１ｂに第２幅止めボルト１７ｂを螺着し、第２幅止めボルト１７ｂによって第２側壁２７ｂと第４側壁２７ｄとを連結する。
【０１３２】
第１および第３側壁２７ａ，２７ｃの間に延びる第１幅止めボルト１７ａによって内側スペース１６に打設されたコンクリート２０の側圧による第１および第３側壁２７ａ，２７ｃの変形が防止され、第２および第４側壁２７ｂ，２７ｄの間に延びる第２幅止めボルト１７ｂによって内側スペース１６に打設されたコンクリート２０の側圧による第２および第４側壁２７ｂ，２７ｄの変形が防止される。
【０１３３】
幅止めボルト設置工程の後、離間寸法第１調整工程を実施する。離間寸法第１調整工程では、第１および第３側壁２７ａ，２７ｃの離間寸法が設計寸法と微妙に異なる場合、第１幅止めボルト１７ａを時計回り方向または反時計回り方向に回転させ、第１および第３側壁２７ａ，２７ｃを離間させる方向または近接させる方向へ力を作用させ、第１幅止めボルト１７ａによって第１および第３側壁１７ａ，１７ｃの離間寸法を微調整し、離間寸法を設計寸法に一致させる。
【０１３４】
また、第２および第４側壁２７ｂ，２７ｄの離間寸法が設計寸法と微妙に異なる場合、第２幅止めボルト１７ｂを時計回り方向または反時計回り方向に回転させ、第２および第４側壁２７ｂ，２７ｄを離間させる方向または近接させる方向へ力を作用させ、第２幅止めボルト１７ｂによって第２および第４側壁２７ｂ，２７ｄの離間寸法を微調整し、離間寸法を設計寸法に一致させる。
【０１３５】
離間寸法第１調整工程の後、底部枠材固定工程を実施する。底部枠材１３は、第１〜第４底部枠材１３ａ〜１３ｄから形成されている。底部枠材固定工程では、土台管１１ｃの第１側壁２７ａの底部１２における外面に第１底部枠材１３ａを配置し、ビス螺着孔にビスを螺着して第１側壁２７ａに第１底部枠材１３ａを強固に固定する。土台管１１ｃの第２側壁２７ｂの底部１２における外面に第２底部枠材１３ｂを配置し、ビス螺着孔にビスを螺着して第２側壁２７ｂに第２底部枠材１３ｂを固定する。さらに、土台管１１ｃの第３側壁２７ｃの底部１２における外面に第３底部枠材１３ｃを配置し、ビス螺着孔にビスを螺着して第３側壁２７ｃに第３底部枠材１３ｃを固定する。土台管１１ｃの第４側壁２７ｄの底部１２における外面に第４底部枠材１３ｄを配置し、ビス螺着孔にビスを螺着して第４側壁２７ｄに第４底部枠材１３ｄを固定する。
【０１３６】
底部枠材固定工程の後、躯体２４に形成されたアンカーホールに新設鉄筋１８を固定し、土台管１１ｃおよびそれら枠材１３，１５の内側スペース１６に新設鉄筋１８を配筋する。内側スペース１６に新設鉄筋１８を配筋した後、新設防水材設置工程を実施する。新設防水材１９にはシート防水が利用されている。新設防水材設置工程では、据付箇所における第１〜第４底枠部材１３ａ〜１３ｄの外側の既設断熱材２５を取り除いた部分に新設断熱材３７を配置し、新設防水材１９を土台管１１ｃの第１〜第４側壁２７ａ〜２７ｄの外面と第１〜第４底枠部材１３ａ〜１３ｄの外面とに設置する。さらに、新設防水材１９を第１〜第４底枠部材１３ａ〜１３ｄから径方向外方に延長して設置し、新設防水材１９によって第１〜第４底枠部材１３ａ〜１３ｄの周囲に設置された新設断熱材３７と第１〜第４底枠部材１３ａ〜１３ｄの周囲に位置する躯体２４とを被覆する。
【０１３７】
新設防水材設置工程の後、支持ボルト設置工程を実施する。支持ボルト２１は、頂部分４３（垂直部分４５）の上に設置されたスペーサ２２と、それらスペーサ２２の上に設置されて支持ボルト２１を挿脱可能に設置するボルト位置決め枠２３（ボルト位置決め部材）とを利用して設置される。支持ボルト設置工程では、スペーサ２２を第２頂部分４３ｂ（垂直部分４５）と第４頂部分４３ｄ（垂直部分４５）との間に架け渡し、スペーサを第２頂部分４３ｂと第４頂部分４３ｄとに固定手段によって着脱可能に固定し、ボルト位置決め枠２３をスペーサ２２の上に固定手段によって着脱可能に固定する。スペーサ２２とボルト位置決め枠２３とを設置すると、支持ボルト２１の螺子上部３８が第１〜第４頂部分４３ａ〜４３ｄ（垂直部分４５）の上端から上方へ露出し、支持ボルト２１の螺子下部３９が第１〜第４頂部分４３ａ〜４３ｄ（垂直部分４５）の上端から下方へ延びる。
【０１３８】
支持ボルト設置工程の後、セメント硬化物打設工程を実施する。セメント硬化物打設工程では、土台管１１ｃおよび底部枠材１３の内側スペース１６にコンクリート２０を打設する。なお、内側スペース１６にコンクリート２０を打設した後、新設防水材設置工程を実施してもよい。セメント硬化物打設工程におけるコンクリート２０の打設過程（コンクリート２０を打設中）において、離間寸法第２調整工程を実施する。
【０１３９】
内側スペース１６にコンクリート２０を打設する過程において、第１および第３側壁２７ａ，２７ｃにコンクリート２０の側圧が作用し、それら側壁２７ａ，２７ｃの離間寸法が変化した場合、離間寸法第２調整工程において、第１幅止めボルト１７ａを回転させ、第１幅止めボルト１７ａによって第１および第３側壁２７ａ，２７ｃを離間させる方向または近接させる方向へ力を作用させ、第１および第３側壁２７ａ，２７ｃの離間寸法を微調整し、メジャーによって離間寸法を計測しつつ離間寸法を設計寸法に一致させる。
【０１４０】
また、内側スペース１６にコンクリート２０を打設する過程において、第２および第４側壁２７ｂ，２７ｄにコンクリートの側圧が作用し、それら側壁２７ｂ，２７ｄの離間寸法が変化した場合、離間寸法第２調整工程において、第２幅止めボルト１７ｂを回転させ、第２幅止めボルト１７ｂによって第２および第４側壁２７ｂ，２７ｄを離間させる方向または近接させる方向へ力を作用させ、第２および第４側壁２７ｂ，２７ｄの離間寸法を微調整し、メジャーによって離間寸法を計測しつつ離間寸法を設計寸法に一致させる。
【０１４１】
内側スペース１６に打設したコンクリート２０の養生期間が経過した後、ボルト位置決め部材・スペーサ取り外し工程を実施する。ボルト位置決め部材・スペーサ取り外し工程では、ボルト位置決め枠２３をスペーサ２２から取り外して支持ボルト２１からボルト位置決め枠２３を抜き取り、スペーサ２２を頂部枠材１５から取り外す。次に、土台管１１ｃの頂部１４から上方へ露出するコンクリート２０の頂面と側面とに新設防水材（ウレタン防水）（図示せず）を設置する。さらに、第１〜第４側壁２７ａ〜２７ｄと第１〜第４底部枠材１３ａ〜１３ｄとの外側に化粧板４２を配置し、化粧板４２の上部をコンクリート２０に固定し、化粧板４２の下部を新設防水材１９に固定することで、図２０に示す基礎構造物１０Ｃが完成する。
【０１４２】
基礎構造物据付方法は、中空の土台管１１ｃと底部枠材１３と幅止めボルト１７との各基礎構成部品が製造工場においてあらかじめ量産されて汎用部品化（規格化）されており、既設建造物の躯体２４の据付箇所においてマニュアル化された手順に従って基礎構造物１０Ｃがユニットとして組み立てられるから、基礎構造物１０Ｃを据え付ける際にその現場において型枠を組み上げる必要や型枠を解体する必要はなく、据付箇所に土台管１１ｃを固定しつつ調整ボルト３０を利用して躯体２４に対する土台管１１ｃの高さおよび傾きを調整し、第１〜第４側壁２７ａ〜２７ｄに幅止めボルト１７を設置するとともに、土台管１１ｃに底部枠材１３を設置し、内側スペース１６にコンクリート２０を打設するだけで基礎構造物１０Ｃを据付箇所に据え付けることができ、型枠の組立や型枠の解体にかかる手間や時間、コストを省くことができる。
【０１４３】
基礎構造物据付方法は、基礎構造物１０Ｃの据付作業を簡略化することができるのみならず、コンクリート２０の養生期間を待つことなく新設防水材１９の設置作業が完了し、コンクリート２０の養生期間を待つことなく基礎構造物１０Ｃの据付作業が完了するから、基礎構造物１０Ｃの据付時間にコンクリート２０の養生期間が入らず、据付箇所に複数の基礎構造物１０Ｃを迅速に据え付けることができ、工期を大幅に短縮することができる。基礎構造物据付方法は、基礎構造物１０Ｃの工期を大幅に短縮することができ、基礎構造物１０Ｃの構築にかかる人件費を大幅に低減することができるから、基礎構造物１０Ｃの据付にかかるコストを低下させることができ、基礎構造物１０Ｃを廉価に構築することができる。基礎構造物据付方法は、施工現場の据付箇所において型枠を組み上げる必要はなく、マニュアル化された手順に従って基礎構造物１０Ｃを組み立てることができるから、型枠工の技術がない作業者でも基礎構造物１０Ｃを容易に構築することができる。
【０１４４】
基礎構造物据付方法は、土台管１１ｃの第１〜第４底部分２９ａ〜２９ｄに形成されたボルト孔と躯体２４に形成されたボルト孔とに第１〜第４調整ボルト３０ａ〜３０ｄが設置され、それら調整ボルト３０ａ〜３０ｄによって土台管１１ｃが躯体２４に固定されるとともに、コンクリート２５の養生期間が経過した後にそれら調整ボルト３０ａ〜３０ｄや長ナット３１ａ，３１ｂ、幅止めボルト１７ａ，１７ｂ、新設鉄筋１８がコンクリート２０と一体になり、基礎構造物１０Ｃにかかる荷重を調整ボルト３０ａ〜３０ｄや長ナット３１ａ，３１ｂ、幅止めボルト１７ａ，１７ｂ、新設鉄筋１８、コンクリート２０で分担するから、既設建造物の躯体２４の所定の据付箇所に強固に据え付けることができ、ソーラーパネルやアンテナ、貯水槽、浄化槽、空調機器等の重量のある機械器具、鉄塔や鉄骨柱、鉄骨建設物等の重量のある建築物を確実に支持することが可能な基礎構造物１０Ｃを構築することができる。
【０１４５】
基礎構造物据付方法は、土台管１１ｃおよび枠材１３の内側スペース１６に打設されたコンクリート２０の側圧が第１〜第４側壁２７ａ〜２７ｄに作用したとしても、土台管１１ｃに設置された幅止めボルト１７ａ，１７ｂがコンクリート２０の側圧による第１〜第４側壁２７ａ〜２７ｄの変形を防止するから、第１〜第４側壁２７ａ〜２７ｄが変形した形状が歪な基礎構造物が作られることはなく、据付箇所に構造計算（強度計算）された設計どおりの基礎構造物１０Ｃを構築することができる。
【０１４６】
基礎構造物据付方法は、内側スペース１６にコンクリート２０を打設する前に、第１幅止めボルト１７ａによって第１および第３側壁２７ａ，２７ｃの離間寸法が微調整され、第２幅止めボルト１７ｂによって第２および第４側壁２７ｂ，２７ｄの離間寸法が微調整されるから、第１および第３側壁２７ａ，２７ｃの離間寸法や第２および第４側壁２７ｂ，２７ｄの離間寸法が設計寸法と微妙に異なっていたとしても、それら側壁２７ａ〜２７ｄの離間寸法を設計寸法に一致させることができ、設計寸法どおりの基礎構造物１０Ｃを構築することができる。
【０１４７】
基礎構造物据付方法は、内側スペース１６にコンクリート２０を打設する過程（コンクリート２０打設中）において、第１〜第４側壁２７ａ〜２７ｄにコンクリート２０の側圧が作用し、それら側壁２７ａ〜２７ｄの離間寸法が変化したとしても、第１幅止めボルト１７ａによって第１および第３側壁２７ａ，２７ｃの離間寸法を微調整することができ、第２幅止めボルト１７ｂによって第２および第４側壁２７ｂ，２７ｄの離間寸法を微調整することができるから、それら側壁２７ａ〜２７ｄの離間寸法を設計寸法に一致させることができ、設計寸法どおりの基礎構造物１０Ｃを構築することができる。
【０１４８】
基礎構造物据付方法は、躯体２４に対する土台管１１ｃの高さおよび傾きを第１〜第４調整ボルト３０ａ〜３０ｄによって調整することができるから、据付箇所が傾斜していてとしても、据付箇所に対して土台管１１ｃを水平に設置することができるとともに、複数個の基礎構造物１０Ｃを据え付ける場合に、それら基礎構造物１０Ｃどうしの高さ寸法を容易に調整することができ、それら基礎構造物１０Ｃの高さ寸法を均一に揃えることができる。
【０１４９】
基礎構造物据付方法は、基礎構造物１０Ｃが既設建造物の屋上に据え付けられた場合でも、底部枠材１３ａ〜１３ｄの周囲に位置する躯体２４が新設防水材１９に被覆されるから、土台管１１ｃや底部枠材１３ａ〜１３ｄ、躯体２４への水の侵入を防ぐことができ、土台管１１ｃや底部枠材１３ａ〜１３ｄに水が進入することによる土台管１１ｃや底部枠材１３ａ〜１３ｄの腐食や強度低下を防ぐことができ、躯体２４に水が進入することによる躯体２４の劣化を防ぐことができる。
【符号の説明】
【０１５０】
１０Ａ  基礎構造物
１０Ｂ  基礎構造物
１０Ｃ  基礎構造物
１１ａ  土台管
１１ｂ  土台管
１１ｃ  土台管
１２    底部
１３    底部枠材
１３ａ  第１底部枠材
１３ｂ  第２底部枠材
１３ｃ  第３底部枠材
１３ｄ  第４底部枠材
１４    頂部
１５    頂部枠材
１５ａ  第１頂部枠材
１５ｂ  第２頂部枠材
１５ｃ  第３頂部枠材
１５ｄ  第４頂部枠材
１６    内側スペース
１７    幅止めボルト
１７ａ  第１幅止めボルト
１７ｂ  第２幅止めボルト
１７ｃ  第３幅止めボルト
１７ｄ  第４幅止めボルト
１８    新設鉄筋
１９    新設防水材
２０    コンクリート（セメント硬化物）
２１    支持ボルト
２２    スペーサ
２３    ボルト位置決め枠（ボルト位置決め部材）
２４    躯体
２５    既設断熱材
２６    既設防水材
２７ａ  第１側壁
２７ｂ  第２側壁
２７ｃ  第３側壁
２７ｄ  第４側壁
２８    頂部分
２８ａ  第１頂部分
２８ｂ  第２頂部分
２８ｃ  第３頂部分
２８ｄ  第４頂部分
２９    底部分
２９ａ  第１底部分
２９ｂ  第２底部分
２９ｃ  第３底部分
２９ｄ  第４底部分
３０    調整ボルト
３０ａ  第１調整ボルト
３０ｂ  第２調整ボルト
３０ｃ  第３調整ボルト
３０ｄ  第４調整ボルト
３１ａ  第１長ナット
３１ｂ  第２長ナット
３１ｃ  第３長ナット
３１ｄ  第４長ナット
３２    六角ナット
３３    中央部
３４    水平部分
３５    垂直部分
３６    折曲部分
３７    新設断熱材
３８    螺子上部
３６    螺子下部
３７    既設断熱材
３８    螺子上部
３９    螺子下部
４０    既設シンダーコンクリート
４１    新設シンダーコンクリート
４２    化粧板
４３    頂部分
４３ａ  第１頂部分
４３ｂ  第２頂部分
４３ｃ  第３頂部分
４３ｄ  第４頂部分
４４    水平部分
４５    垂直部分
【要約】
【課題】基礎構造物の据付に要する労力やコストを低減することができるとともに、基礎構造物を短い工期で据え付けることができる基礎構造物据付方法を提供する。
【解決手段】基礎構造物構築方法は、躯体２４に形成されたボルト孔に調整ボルト３０を螺着して土台管１１ａを据付箇所に固定し、調整ボルト３０を利用して躯体に対する土台管１１ａの高さおよび傾きを調整し、第１〜第４側壁２７ａ〜２７ｄに固定された長ナットに幅止めボルトを螺着する。次に、土台管１１ａの底部に底部枠材１３を固定し、土台管１１ａの頂部分に頂部枠材を着脱可能に設置し、土台管１１ａおよび底部枠材１３の外周面全域に新設防水材１９を設置する。さらに、土台管１１ａおよびそれら枠材１３の内側スペースにコンクリート２０を打設し、コンクリート２０を養生した後に土台管１１ａの頂部分から頂部枠材を取り外す。
【選択図】図２【図１】
0005927683.tif 000002
【図２】
0005927683.tif 000003
【図３】
0005927683.tif 000004
【図４】
0005927683.tif 000005
【図５】
0005927683.tif 000006
【図６】
0005927683.tif 000007
【図７】
0005927683.tif 000008
【図８】
0005927683.tif 000009
【図９】
0005927683.tif 000010
【図１０】
0005927683.tif 000011
【図１１】
0005927683.tif 000012
【図１２】
0005927683.tif 000013
【図１３】
0005927683.tif 000014
【図１４】
0005927683.tif 000015
【図１５】
0005927683.tif 000016
【図１６】
0005927683.tif 000017
【図１７】
0005927683.tif 000018
【図１８】
0005927683.tif 000019
【図１９】
0005927683.tif 000020
【図２０】
0005927683.tif 000021
【図２１】
0005927683.tif 000022
【図２２】
0005927683.tif 000023
【図２３】
0005927683.tif 000024
【図２４】
0005927683.tif 000025
【図２５】
0005927683.tif 000026